(57)【特許請求の範囲】
【請求項１】
ボアが形成された磁気共鳴イメージング用の架台と、
前記ボアに関する前記架台の内壁において前記ボアの中心軸に平行に設けられたレールと、
前記レールに沿って移動可能であって、映写機からの映像が投影されるスクリーンと前記スクリーンに投影された前記映像を反射する反射板とを搭載する移動台車と、
前記移動台車の移動とともに前記中心軸に沿って移動可能な光学素子と、
を具備し、
前記光学素子は、前記映写機により射出された投影光のうち、前記スクリーンに投影されていない光を、前記架台の前記内壁に導く、
磁気共鳴イメージング装置。
【請求項２】
ボアが形成された磁気共鳴イメージング用の架台と、
前記ボアに関する前記架台の内壁において前記ボアの中心軸に平行に設けられたレールと、
前記レールに沿って移動可能であって、映写機からの映像が投影されるスクリーンと前記スクリーンに投影された前記映像を反射する反射板とを搭載する移動台車と、
前記移動台車の移動とともに前記中心軸に沿って移動可能な光学素子と、
を具備し、
前記光学素子は、前記映写機により射出された投影光のうち、前記スクリーンに投影されていない光を、前記架台の外装面に導く、
磁気共鳴イメージング装置。
【請求項３】
ボアが形成された磁気共鳴イメージング用の架台と、
前記ボアに関する前記架台の内壁において前記ボアの中心軸に平行に設けられたレールと、
前記レールに沿って移動可能であって、映写機からの映像が投影されるスクリーンと前記スクリーンに投影された前記映像を反射する反射板とを搭載する移動台車と、
前記移動台車の移動とともに前記中心軸に沿って移動可能な光学素子と、
を具備し、
前記光学素子は、前記映写機により射出された投影光のうち、前記スクリーンに投影されていない光を、前記ボアに挿入された天板の方へ導く、
磁気共鳴イメージング装置。
【請求項４】
前記光学素子は、前記投影光のうち前記スクリーンに投影されていない光を受光可能な位置に配置される、
請求項１乃至３の何れか一項に記載の磁気共鳴イメージング装置。
【請求項５】
前記光学素子は、前記スクリーンと前記内壁との隙間に配置され、前記投影光のうち前記隙間における光を所定の配光特性により成形する、
請求項１乃至４の何れか一項に記載の磁気共鳴イメージング装置。
【請求項６】
前記光学素子は、前記投影光のうち前記スクリーンに投影されていない光を、屈折または回折させることにより収束させる収束素子と、拡散させる拡散素子と、反射させる反射素子とのうち少なくとも一つを有し、
前記収束素子は、凸形状と凹形状と鋸歯形状と凹凸形状とのうち少なくとも一つの形状を有し、
前記拡散素子は、前記凹凸形状と格子形状とのうち少なくとも一つの形状を有し、
前記収束素子と前記拡散素子と前記反射素子とは、プラスチックとガラスとのうち少なくとも一方により形成される、
請求項１乃至５の何れか一項に記載の磁気共鳴イメージング装置。
【請求項７】
前記移動台車は、
前記反射板を支持する支持アームと前記スクリーンと前記反射板とに対する前記光学素子の相対的な位置を変更可能であって前記光学素子を支持する移動支持ベース、または前記相対的な位置を固定して前記光学素子を支持する固定支持ベースを搭載する、
請求項１乃至６の何れか一項に記載の磁気共鳴イメージング装置。
【請求項８】
前記光学素子は、
前記内壁の周方向に沿った帯形状を有し、
前記光学素子の中心線で規定される面が前記中心軸に対して所定の傾きを有するように、前記移動台車に搭載される、
請求項１乃至７の何れか一項に記載の磁気共鳴イメージング装置。
【請求項９】
前記光学素子は、前記スクリーンの外縁部分に前記スクリーンと一体化させて配置、または前記外縁部分に隣接して配置される、
請求項１乃至６の何れか一項に記載の磁気共鳴イメージング装置。
【請求項１０】
前記光学素子は、前記反射板を支持する、
請求項１乃至６の何れか一項に記載の磁気共鳴イメージング装置。
【請求項１１】
前記光学素子は、前記スクリーンと前記内壁との間の位置と前記映写機における焦点とを結ぶ光路に沿ってまたは前記光路を横切るように並べられる、
請求項１乃至６の何れか一項に記載の磁気共鳴イメージング装置。
【請求項１２】
前記光学素子は、前記スクリーンの周囲に配置された前記光学素子の中心線を回転軸として回転可能に前記移動台車に支持される、
請求項１乃至６の何れか一項に記載の磁気共鳴イメージング装置。
【請求項１３】
前記移動台車が寝台側の前記ボアの端部に位置するとき、前記光学素子は、前記投影光のうち前記スクリーンに投影されていない光を、前記外装面に向けて投影させる、
請求項２に記載の磁気共鳴イメージング装置。
【請求項１４】
前記光学素子は、前記移動台車に搭載された導光板であって、前記投影光のうち前記スクリーンに投影されていない光を、前記内壁にガイドする、
請求項１に記載の磁気共鳴イメージング装置。
【請求項１５】
前記光学素子は、前記投影光のうち前記スクリーンに投影されていない光を、前記ボアに挿入された前記天板に投影させる、
請求項３に記載の磁気共鳴イメージング装置。
【請求項１６】
前記架台は、前記レールの下方に設けられた光源を有し、
前記光学素子は、前記光源で発生された光を、前記内壁に向けて投影させる、
請求項１に記載の磁気共鳴イメージング装置。
【請求項１７】
前記移動台車は、前記反射板を支持する支持アームを搭載し、
前記支持アームは、前記中心軸に沿って所定の気体を送風する送風管を収容し、前記送風管内における前記気体を前記ボア内に噴出するための噴出口を有する、
請求項１乃至１５の何れか一項に記載の磁気共鳴イメージング装置。
【請求項１８】
前記移動台車は、前記ボアの外側に天板が配置されている状態において、前記ボアの端部に前記スクリーンが位置するように前記レールに配置され、
前記光学素子は、前記投影光のうち、前記スクリーンと前記内壁との隙間を通過する光の少なくとも一部を反射可能な位置に配置される、
請求項１乃至１７の何れか一項に記載の磁気共鳴イメージング装置。
【請求項１９】
前記移動台車は、前記中心軸に沿ってスライド可能であって、前記反射板を支持する支持アームを搭載し、
前記スクリーンに投影されていない光の投影方向は、前記支持アームのスライドに応じて、前記光学素子を回転させることにより変更される、
請求項１乃至３の何れか一項に記載の磁気共鳴イメージング装置。
【請求項２０】
前記光学素子を前記中心軸に沿って移動可能に支持し、前記移動台車に搭載された支持ベースを更に具備し、
前記支持ベースは、前記支持アームのスライドに応じて、前記スクリーンと前記光学素子との相対的な位置関係を変更するために、前記中心軸に沿って移動する、
請求項１９に記載の磁気共鳴イメージング装置。
【請求項２１】
前記支持ベースは、
前記支持アームが寝台に向けてスライドされたとき、前記スクリーンと前記映写機との間の位置に移動し、
前記支持アームが前記スクリーンに向けてスライドされたとき、前記スクリーンと前記反射板との間の位置に移動する、
請求項２０に記載の磁気共鳴イメージング装置。
【発明の詳細な説明】
【技術分野】
【０００１】
本発明の実施形態は、磁気共鳴イメージング装置に関する。
【背景技術】
【０００２】
磁気共鳴イメージング装置は、磁石等の撮像機構を装備する架台を有している。架台には略中空形状のボアが形成されている。ＭＲ（Magnetic  Resonance）撮像はボア内に患者が挿入された状態において行われる。比較的大きいボア径を有する架台が開発されているが、長時間に及ぶＭＲ撮像時間や架台駆動中の騒音、ボア内での圧迫感及び閉塞感により、ＭＲ検査にストレスを感じる患者は少なくない。
【先行技術文献】
【特許文献】
【０００３】
【特許文献１】特開２０１４−２１２９４５号公報
【特許文献２】実開平０６−０１７７０１号公報
【特許文献３】特開２０１２−２４５３１５号公報
【発明の概要】
【発明が解決しようとする課題】
【０００４】
実施形態の目的は、架台のボア内の居住性を向上可能な磁気共鳴イメージング装置を提供することにある。
【課題を解決するための手段】
【０００５】
本実施形態に係る磁気共鳴イメージング装置は、ボアが形成された磁気共鳴イメージング用の架台と、前記ボアに関する架台の内壁において前記ボアの中心軸に平行に設けられたレールと、前記レールに沿って移動可能であって、映写機からの映像が投影されるスクリーンと前記スクリーンに投影された前記映像を反射する反射板とを搭載する移動台車と、前記移動台車の移動とともに前記中心軸に沿って移動可能な光学素子と、を具備する。
【図面の簡単な説明】
【０００６】
【図１】図１は、本実施形態に係る医用画像診断装置を含む医用画像診断システムの構成を示す図である。
【図２】図２は、本実施形態に係る磁気共鳴イメージング装置の構成を示す図である。
【図３】図３は、本実施形態に係る磁気共鳴イメージングシステムの設置環境の一例を示す図である。
【図４】図４は、本実施形態に係る架台筐体の斜視図である。
【図５】図５は、本実施形態に係る移動式スクリーン装置の斜視図である。
【図６】図６は、図５の移動式スクリーン装置の側面図である。
【図７】図７は、図５の移動式スクリーン装置の正面図である。
【図８】図８は、本実施形態に係る、連結した移動式スクリーン装置と天板１３１との斜視図である。
【図９】図９は、本実施形態に係り、ボア内に配置されたスクリーンの正面を示す図である。
【図１０】図１０は、本実施形態に係り、ボア内に配置されたスクリーンの正面を示す図である。
【図１１】図１１は、本実施形態に係り、ボア内に配置されたスクリーンの正面を示す図である。
【図１２】図１２は、本実施形態に係り、ボア内に配置されたスクリーンの正面を、光学素子の外形形状とともに模式的に示す図である。
【図１３】図１３は、本実施形態に係り、ボア内に配置されたスクリーンの正面を、光学素子の外形形状とともに模式的に示す図である。
【図１４】図１４は、本実施形態に係り、ボア内に配置されたスクリーンの正面を示す図である。
【図１５】図１５は、本実施形態に係り、反射板の外形形状の一例を示す図である。
【図１６】図１６は、本実施形態に係り、スライド機構が搭載された移動式スクリーン装置の側面を示す図である。
【図１７】図１７は、本実施形態に係り、スライド機構が搭載された移動式スクリーン装置の側面を示す他の図である。
【図１８】図１８は、本実施形態に係り、第１の映写形式における移動式スクリーン装置を架台の側方から示す図である。
【図１９】図１９は、本実施形態に係り、第１の映写形式における移動式スクリーン装置を架台の正面から示す斜視図である。
【図２０】図２０は、本実施形態に係り、第２の映写形式における移動式スクリーン装置を架台の側方から示す図である。
【図２１】図２１は、本実施形態に係り、第２の配置形態における移動式スクリーン装置と架台との斜視図である。
【図２２】図２２は、本実施形態に係り、スクリーンと支持アームとの間に配置された光学素子を有する移動式スクリーン装置と、光学素子により拡散された余剰光との一例を示す図である。
【図２３】図２３は、本実施形態に係り、移動台車上において、映写機とスクリーンとの間に配置された光学素子を有する移動式スクリーン装置と、光学素子により拡散された余剰光との一例を示す図である。
【図２４】図２４は、本実施形態に係り、Ｚ軸に対して所定の傾きを設けて移動台車に搭載された光学素子を有する移動式スクリーン装置の一例を示す図である。
【図２５】図２５は、本実施形態の第１の変形例に係り、ボア内に配置された移動式スクリーン装置を上面から見た上面図である。
【図２６】図２６は、本実施形態の第１の変形例に係り、ボア内に配置された移動式スクリーン装置を側面から見た側面図である。
【図２７】図２７は、本実施形態の第２の変形例に係り、ボア５３内に配置された移動式スクリーン装置を側面から見た側面図である。
【図２８】図２８は、本実施形態の第３の変形例に係り、光学素子を余剰光光路に対して並列させて配置した移動式スクリーン装置の一例を示す図である。
【図２９】図２９は、本実施形態の第３の変形例に係り、光学素子を余剰光光路に対して直列させて配置した移動式スクリーン装置の一例を示す図である。
【図３０】図３０は、本実施形態の第３の変形例に係り、光学素子を余剰光光路に対して並列させて配置した移動式スクリーン装置の一例を示す図である。
【図３１】図３１は、本実施形態の第４の変形例に係り、光学素子が複数の部分的な光学素子により構成される移動式スクリーン装置に関する正面図である。
【図３２】図３２は、本実施形態の第４の変形例に係り、光学素子が複数の部分的な光学素子により構成される移動式スクリーン装置の側面を示す側面図である。
【図３３】図３３は、本実施形態の第４の変形例に係り、第１の配置形態において、スクリーンのエッジ部分に回転接続器を介して接続された光学素子を搭載した移動式スクリーン装置の側面を示す側面図である。
【図３４】図３４は、本実施形態の第５の変形例に係り、移動台車に搭載された導光板を有する移動式スクリーン装置をボア内の上部から見た上面図である。
【図３５】図３５は、本実施形態の第５の変形例に係り、ボア内において、移動台車に搭載された導光板を有する移動式スクリーン装置の側面を示す側面図である。
【図３６】図３６は、本実施形態の第６の変形例に係り、スクリーンと支持アームとの間に配置された光学素子と、光学素子により拡散された余剰光との一例を示す図である。
【図３７】図３７は、本実施形態の第７の変形例に係り、支持ベースが受光したボア照明光を、光学素子を介して内壁に投影する一例を示す図である。
【図３８】図３８は、本実施形態の第７の変形例に係り、図３７におけるＺ軸に垂直な断面ＡＡ’を支持アーム側からスクリーンに向けて見た断面図である。
【図３９】図３９は、本実施形態の第８の変形例に係り、支持アーム内に設けられ、噴出口を有する風導管を有する移動式スクリーン装置の一例を示す図である。
【発明を実施するための形態】
【０００７】
ＭＲ検査におけるストレスを軽減するための技術として、次のような技術が考えられる。例えば、１．ゴーグルタイプのヘッドマウントディスプレイ、２．検査室の天井や壁への液晶モニタの設置、３．架台後方に配置された液晶モニタの映像を見るための鏡が取付けられたヘッドコイルがある。しかしながら、１の技術の場合、ヘッドマウントディスプレイを患者に取り付けることにより患者に圧迫感及び閉塞感を与えてしまう。２の技術の場合、患者頭部が架台内に入ると液晶モニタの映像を見ることができない。３の技術の場合、ＭＲ撮像中はヘッドコイルに装着された鏡を介して映像を見ることができるのでボアによる閉塞感を軽減することができる。しかし、鏡をヘッドコイル毎に取り付けなければならない。また、頭部を覆うヘッドコイルの隙間に鏡が取り付けられているため患者は映像の広がりをあまり感じることができない。また、架台の後方に液晶モニタが設置され架台の前方を隠すものはないため、患者はＭＲ撮像前において架台外にいるときにボアを容易に視認できてしまい、その後にたとえヘッドコイルを付けて鏡を介して映像を見ていてもボア内に居る感覚を拭い去ることはできない。
【０００８】
更に、鏡と液晶モニタとの位置関係が天板の移動と共に変わるため、天板の移動中に鏡を介して液晶モニタの映像を見ていても患者はボア内を進む感覚も残存する。加えて、上記３の技術の場合、鏡の範囲だけに液晶モニタの映像が写るため、患者の視角範囲を映像で十分に満たすことはできない。
【０００９】
これらのことから、患者が映像を視認できる範囲は鏡の大きさに限定されるため、ボアの狭さによる閉塞感を解消すれるには至らず、患者に対する不安の軽減としては、この技術は不十分である。
【００１０】
以下、図面を参照しながら本実施形態に係わる磁気共鳴イメージング装置を説明する。
【００１１】
図１は、本実施形態に係る医用画像診断装置１０を含む医用画像診断システム１の構成を示す図である。図１に示すように、医用画像診断システム１は、互いに有線又は無線で通信可能に接続された医用画像診断装置１０と映写機１００と映写機制御装置２００とを含む。医用画像診断装置１０は、架台１１、寝台１３、移動式スクリーン装置１５及び撮像制御ユニット１７を有する。
【００１２】
例えば、架台１１、寝台１３及び移動式スクリーン装置１５は、検査室に設置され、撮像制御ユニット１７は、検査室に隣接する制御室に設置される。架台１１は、医用撮像を実現するための機構を装備する。架台１１には中空形状を有するボアが形成されている。架台１１の前方には寝台１３が設置されている。寝台１３は患者Ｐが載置される天板を移動自在に支持する。寝台１３は架台１１及びコンソール等による制御に従い天板を移動する。架台１１のボア内には移動式スクリーン装置１５が移動可能に設けられている。架台１１の前方又は後方には映写機１００が設置されている。移動式スクリーン装置１５には映写機１００からの映像が投影される。
【００１３】
映写機制御装置２００は、映写機１００を制御するコンピュータ装置である。映写機制御装置２００は、映写対象の映像に関するデータを映写機１００に供給する。映写機１００は、映写機制御装置２００からのデータに対応する映像を移動式スクリーン装置１５のスクリーンに投影する。映写機１００としては、例えば、液晶方式やＤＬＰ（Digital Light Processing）方式、ＬＣＯＳ（Liquid Crystal On Silicon）方式、ＧＬＶ（Grating Light Valve）方式等が用いられると良い。この場合、映写機１００は、少なくとも表示機器と光源とを搭載する。
【００１４】
表示機器は、映写機制御装置２００からのデータに対応する映像を表示する。光源は直接的又は光学系を介して間接的に表示機器に光を照射する。表示機器から透過又は反射した光（以下、投影光と呼ぶ）は、直接的又は光学系を介して間接的に映写機１００の外部に射出される。投影光が移動式スクリーン装置１５に照射されることにより、当該投影光に対応する映像が移動式スクリーン装置１５に映し出される。
【００１５】
撮像制御ユニット１７は、医用画像診断装置１０の中枢として機能する。例えば、撮像制御ユニット１７は、医用撮像を行うために架台１１を制御する。また、撮像制御ユニット１７は、医用撮像において架台１１により収集された生データに基づいて患者Ｐに関する医用画像を再構成する。なお、撮像制御ユニット１７は、映写機制御装置２００を介して映写機１００を制御可能に構成されても良い。また、撮像制御ユニット１７は、映写対象の映像に関するデータを映写機１００に供給する。この場合、映写機１００は、撮像制御ユニット１７からのデータに対応する映像を移動式スクリーン装置１５のスクリーンに投影する。
【００１６】
なお、本実施形態における医用画像診断システム１の構成は上記のみに限定されない。例えば、上記の映写機制御装置２００による映写機１００を制御する機能を撮像制御ユニット１７が有しているのであれば、映写機制御装置２００は医用画像診断システム１に設ける必要はない。
【００１７】
本実施形態に係る医用画像診断システム１は、映写機１００と移動式スクリーン装置１５とを利用して、医用画像診断装置１０による医用撮像時におけるボア内における居住性を高めることを可能にする。本実施形態に係る医用画像診断装置１０としては、ボアが形成された架台１１を用いて患者Ｐを撮像可能な如何なる装置でも良い。具体的には、本実施形態に係る医用画像診断装置１０としては、磁気共鳴イメージング（ＭＲＩ：Magnetic Resonance Imaging）装置、Ｘ線コンピュータ断層撮影（ＣＴ：Computed Tomography）装置、ＰＥＴ（Positron Emission Tomography）装置及びＳＰＥＣＴ（Single Photon Emission Computed Tomography）装置等の単一モダリティに適用可能である。或いは、本実施形態に係る医用画像診断装置１０としては、ＭＲ／ＰＥＴ装置、ＣＴ／ＰＥＴ装置、ＭＲ／ＳＰＥＣＴ装置、ＣＴ／ＳＰＥＣＴ装置等の複合モダリティに適用されても良い。
【００１８】
しかしながら、以下の説明を具体的に行うため、本実施形態に係る医用画像診断装置１０は、磁気共鳴イメージング装置１０であるとする。また、磁気共鳴イメージング装置１０と映写機１００と映写機制御装置２００とを含む医用画像診断システム１を磁気共鳴イメージングシステム１と呼ぶことにする。
【００１９】
図２は、本実施形態に係る磁気共鳴イメージング装置１０の構成を示す図である。図２に示すように、磁気共鳴イメージング装置１０は、撮像制御ユニット１７、架台１１、寝台１３及び移動式スクリーン装置１５を有する。撮像制御ユニット１７は、傾斜磁場電源２１、送信回路２３、受信回路２５及びコンソール２７を有する。コンソール２７は、撮像制御回路３１、再構成回路３２、画像処理回路３３、通信回路３４、表示回路３５、入力回路３６、主記憶回路３７及びシステム制御回路３８を有する。
【００２０】
撮像制御回路３１、再構成回路３２、画像処理回路３３、通信回路３４、表示回路３５、入力回路３６、主記憶回路３７及びシステム制御回路３８は、互いにバスを介して通信可能に接続されている。傾斜磁場電源２１、送信回路２３及び受信回路２５は、コンソール２７と架台１１とは別個に設けられている。
【００２１】
架台１１は、静磁場磁石４１、傾斜磁場コイル４３及びＲＦコイル４５を有する。また、静磁場磁石４１と傾斜磁場コイル４３とは架台１１の筐体（以下、架台筐体と呼ぶ）５１に収容されている。架台筐体５１には中空形状を有するボア５３が形成されている。架台筐体５１のボア５３内にＲＦコイル４５が配置される。また、架台筐体５１のボア５３内に本実施形態に係る移動式スクリーン装置１５が配置される。
【００２２】
静磁場磁石４１は、中空の略円筒形状を有し、略円筒内部に静磁場を発生する。静磁場磁石４１としては、例えば、永久磁石、超伝導磁石または常伝導磁石等が使用される。ここで、静磁場磁石４１の中心軸をＺ軸に規定し、Ｚ軸に対して鉛直に直交する軸をＹ軸と呼び、Ｚ軸に水平に直交する軸をＸ軸と呼ぶことにする。Ｘ軸、Ｙ軸、及びＺ軸は、直交３次元座標系を構成する。
【００２３】
傾斜磁場コイル４３は、静磁場磁石４１の内側に取り付けられ、中空の略円筒形状に形成されたコイルユニットである。傾斜磁場コイル４３は、傾斜磁場電源２１からの電流の供給を受けて傾斜磁場を発生する。
【００２４】
傾斜磁場電源２１は、撮像制御回路３１による制御に従い傾斜磁場コイル４３に電流を供給する。傾斜磁場電源２１は、傾斜磁場コイル４３に電流を供給することにより、傾斜磁場コイル４３に傾斜磁場を発生させる。
【００２５】
ＲＦコイル４５は、傾斜磁場コイル４３の内側に配置され、送信回路２３からＲＦパルスの供給を受けて高周波磁場を発生する。また、ＲＦコイル４５は、高周波磁場の作用を受けて患者Ｐ内に存在する対象原子核から発せられる磁気共鳴信号（以下、ＭＲ信号と呼ぶ）を受信する。受信されたＭＲ信号は、有線又は無線を介して受信回路２５に供給される。なお、上述のＲＦコイル４５は、送受信機能を有するコイルであるとしたが、送信用ＲＦコイルと受信用ＲＦコイルとが別々に設けられても良い。
【００２６】
送信回路２３は、患者Ｐ内に存在する対象原子核を励起するための高周波磁場を、ＲＦコイル４５を介して患者Ｐに送信する。対象原子核としては、典型的には、プロトンが用いられる。具体的には、送信回路２３は、撮像制御回路３１による制御に従って、対象原子核を励起するための高周波信号（ＲＦ信号）をＲＦコイル４５に供給する。ＲＦコイル４５から発生された高周波磁場は、対象原子核に固有の共鳴周波数で振動し、対象原子核を励起させる。励起された対象原子核からＭＲ信号が発生され、ＲＦコイル４５により検出される。検出されたＭＲ信号は、受信回路２５に供給される。
【００２７】
受信回路２５は、励起された対象原子核から発生されるＭＲ信号をＲＦコイル４５を介して受信する。受信回路２５は、受信されたＭＲ信号を信号処理してデジタルのＭＲ信号を発生する。デジタルのＭＲ信号は、有線又は無線を介して再構成回路３２に供給される。
【００２８】
架台１１に隣接して寝台１３が設置される。寝台１３は、天板１３１と基台１３３とを有する。天板１３１には患者Ｐが載置される。基台１３３は、天板１３１をＸ軸、Ｙ軸、Ｚ軸各々に沿ってスライド可能に支持する。基台１３３には寝台駆動装置１３５が収容される。寝台駆動装置１３５は、撮像制御回路３１からの制御を受けて天板１３１を移動する。寝台駆動装置１３５としては、例えば、サーボモータやステッピングモータ等の如何なるモータが用いられても良い。
【００２９】
撮像制御回路３１は、ハードウェア資源として、ＣＰＵ（Central Processing Unit）あるいはＭＰＵ（Micro Processing Unit）のプロセッサとＲＯＭ（Read Only Memory）やＲＡＭ（Random Access Memory）等のメモリとを有する。撮像制御回路３１は、システム制御回路３８から供給されるパルスシーケンス情報に基づいて、傾斜磁場電源２１、送信回路２３及び受信回路２５を同期的に制御し、当該パルスシーケンス情報に応じたパルスシーケンスで患者Ｐを撮像する。
【００３０】
再構成回路３２は、ハードウェア資源として、ＣＰＵやＧＰＵ（Graphical processing unit）、ＭＰＵ等のプロセッサとＲＯＭやＲＡＭ等のメモリとを有する。再構成回路３２は、受信回路２５からのＭＲ信号に基づいて患者Ｐに関するＭＲ画像を再構成する。例えば、再構成回路３２は、ｋ空間または周波数空間に配置されたＭＲ信号にフーリエ変換等を施して実空間で定義されたＭＲ画像を発生する。なお、再構成回路３２は、再構成機能を実現する特定用途向け集積回路（Application Specific Integrated Circuit：ＡＳＩＣ）やフィールド・プログラマブル・ゲート・アレイ（Field Programmable Logic Device：ＦＰＧＡ）、他の複合プログラマブル論理デバイス（Complex Programmable Logic Device：ＣＰＬＤ）、単純プログラマブル論理デバイス（Simple Programmable Logic Device：ＳＰＬＤ）により実現されても良い。
【００３１】
画像処理回路３３は、ハードウェア資源として、ＣＰＵ、ＧＰＵ、ＭＰＵ等のプロセッサとＲＯＭやＲＡＭ等のメモリとを有する。画像処理回路３３は、再構成回路３２により再構成されたＭＲ画像に種々の画像処理を施す。なお画像処理回路３３は、上記画像処理機能を実現するＡＳＩＣやＦＰＧＡ、ＣＰＬＤ、ＳＰＬＤにより実現されても良い。
【００３２】
通信回路３４は、図示しない有線又は無線を介して映写機制御装置２００又は映写機１００との間でデータ通信を行う。また、通信回路３４は、図示しないネットワーク等を介して接続されたＰＡＣＳサーバ等の外部装置との間でデータ通信を行っても良い。また、通信回路３４は、移動式スクリーン装置１５に取り付けられた後述の機器との間でデータ通信を行っても良い。
【００３３】
表示回路３５は、種々の情報を表示する。例えば、表示回路３５は、再構成回路３２により再構成されたＭＲ画像や画像処理回路３３により画像処理が施されたＭＲ画像を表示する。また、表示回路３５は、映写機１００により映写される映像を表示しても良い。具体的には、表示回路３５は、表示インタフェース回路と表示機器とを有する。表示インタフェース回路は、表示対象を表すデータをビデオ信号に変換する。表示信号は、表示機器に供給される。表示機器は、表示対象を表すビデオ信号を表示する。表示機器としては、例えば、ＣＲＴディスプレイや液晶ディスプレイ、有機ＥＬディスプレイ、ＬＥＤディスプレイ、プラズマディスプレイ、又は当技術分野で知られている他の任意のディスプレイが適宜利用可能である。
【００３４】
入力回路３６は、具体的には、入力機器と入力インタフェース回路とを有する。入力機器は、ユーザからの各種指令を受け付ける。入力機器としては、キーボードやマウス、各種スイッチ等が利用可能である。入力インタフェース回路は、入力機器からの出力信号をバスを介してシステム制御回路３８に供給する。なお、入力回路３６は、マウス、キーボードなどの物理的な操作部品を備えるものだけに限らない。例えば、磁気共鳴イメージング装置１０とは別体に設けられた外部の入力機器から入力操作に対応する電気信号を受け取り、受け取った電気信号を種々の回路へ出力するような電気信号の処理回路も入力回路３６の例に含まれる。
【００３５】
主記憶回路３７は、種々の情報を記憶するＨＤＤ（hard disk drive）やＳＳＤ（solid state drive）、集積回路記憶装置等の記憶装置である。また、主記憶回路３７は、ＣＤ−ＲＯＭドライブやＤＶＤドライブ、フラッシュメモリ等の可搬性記憶媒体との間で種々の情報を読み書きする駆動装置等であっても良い。例えば、主記憶回路３７は、ＭＲ画像や磁気共鳴イメージング装置１０の制御プログラム等を記憶する。
【００３６】
システム制御回路３８は、ハードウェア資源として、ＣＰＵあるいはＭＰＵのプロセッサとＲＯＭやＲＡＭ等のメモリとを有する。システム制御回路３８は、磁気共鳴イメージング装置１０の中枢として機能する。具体的には、システム制御回路３８は、主記憶回路３７に記憶されている制御プログラムを読み出してメモリ上に展開し、展開された制御プログラムに従って磁気共鳴イメージング装置１０の各部を制御する。
【００３７】
以下、本実施形態の磁気共鳴イメージング装置１０について詳細に説明する。  
まず、図３を参照しながら、本実施形態に係る磁気共鳴イメージングシステム１の設置環境について説明する。図３は、本実施形態に係る磁気共鳴イメージングシステムの設置環境の一例を示す図である。図３に示すように、ＭＲ撮像が行われる検査室３００と検査室３００に隣接する制御室４００とが設けられる。
【００３８】
検査室３００には架台１１と寝台１３とが設置されている。架台１１の前方に寝台１３が設けられている。架台１１のボアには移動式スクリーン装置１５が設けられている。検査室３００は、架台１１からの漏洩磁場や外部からの電磁場等を遮蔽可能なシールドルームである。検査室３００には入退室のためのドアＤ１が設けられている。また、検査室３００と制御室４００との間には、検査室３００と制御室４００との間の往来のためのドアＤ２が設けられている。
【００３９】
制御室４００にはコンソール２７と映写機１００と映写機制御装置２００とが設置されている。映写機１００は、検査室３００と制御室４００との間の壁５００を隔てて架台１１の後方に設置される。壁５００のうちの、映写機１００から移動式スクリーン装置１５に向かう投影光ＬＰが伝播する部分には当該投影光ＬＰが透過可能な窓５１０が設けられている。窓５１０を介して、制御室４００に設置された映写機１００から検査室３００の移動式スクリーン装置１５に投影光ＬＰを伝播させることができる。制御室４００にも入退室のためのドアＤ３が設けられると良い。
【００４０】
なお、上記のレイアウトは一例であってこれに限定されるものではない。例えば、映写機１００と映写機制御装置２００とコンソール２７とが制御室４００に設置されるとしたが、コンソール２７と映写機制御装置２００とは映写機１００とは異なる別の部屋に設置されても良い。また、映写機１００を磁場による影響を受けない材料で形成できるのであれば、映写機１００を検査室３００に設けても良い。また、検査室３００と制御室４００との他に、傾斜磁場電源２１や受信回路２５を設置するための機械室等が設けられても良い。
【００４１】
次に、図４を参照しながら架台１１の外観について説明する。図４は、本実施形態に係る架台筐体５１の斜視図である。図４に示すように、架台筐体５１には中空形状のボア５３が形成される。架台筐体５１のボア５３の下部には、ボア５３の中心軸Ｚに平行するレール５５が形成されている。
【００４２】
レール５５は、天板１３１と移動式スクリーン装置１５との中心軸Ｚに沿うスライドを案内する構造物である。レール５５は、ボア５３に接する架台筐体５１の内壁５７に設けられる。なお、レール５５は、移動式スクリーン装置１５をレールに据え付けるために、映写機側にボア５３から突出していてもよい。レール５５は、磁気共鳴撮像に利用される磁場に作用しない非磁性材料により形成される。ここで、Ｚ軸に関して寝台側から映写機側に向かう方向を＋Ｚ軸方向に規定し、映写機側から寝台側に向かう方向を−Ｚ軸方向に規定する。
【００４３】
次に図５、図６、図７及び図８を参照しながら移動式スクリーン装置１５の構造について説明する。図５は、本実施形態に係る移動式スクリーン装置１５の斜視図である。図６は、移動式スクリーン装置１５の側面図である。図７は、移動式スクリーン装置１５の正面図である。図８は、連結した移動式スクリーン装置１５と天板１３１との斜視図である。
【００４４】
図５、図６、図７及び図８に示すように、移動式スクリーン装置１５は、移動台車６１、スクリーン６３、支持アーム６５、反射板６７、光学素子７３、支持ベース７５等を有する。移動台車６１は、架台筐体５１の内壁５７に設けられたレール５５に沿って移動する構造体である。移動台車６１の下部には、レール５５における走行性を高めるため、レール５５を転がる車輪（図示せず）が取り付けられている。
【００４５】
なお、移動台車６１がレール５５を走行可能であれば、必ずしも車輪が設けられる必要は無く、レール５５に接触する面が低摩擦係数を有する材料により形成されれば良い。移動台車６１とレール５５とは、移動台車６１がボア５３の寝台１３側（−Ｚ側）の端部から映写機１００側（＋Ｚ側）の端部まで移動可能に形成される。
【００４６】
移動台車６１の底面は、レール５５に嵌合可能な形状を有すると良い。移動台車６１とレール５５とが係合することにより、移動台車６１がボア５３の端部に配置された状態において外部から架台１１を見た場合、レール５５を目立たなくさせることができる。移動台車６１は、スクリーン６３と支持アーム６５とを支持する。移動台車６１は、樹脂等の磁場に作用しない非磁性材料により形成される。
【００４７】
図５に示すように、移動台車６１には天板１３１に連結するための連結部６９が形成されている。連結部６９により、図８に示すように、移動台車６１と天板１３１とが連結する。天板１３１の前方部（＋Ｚ軸方向側）には患者固定具１３７が取り付けられている。患者固定具１３７は、天板１３１に載置された患者Ｐの頭部を固定する。患者固定具１３７は、天板１３１に仰向けに載置された患者Ｐの視界を遮ることのなく後頭部を覆うことが可能なように湾曲形状を有している。
【００４８】
すなわち、患者固定具１３７の前頭部側は開放されている。よって患者固定具１３７は、頭部全体を覆う固定部に比して、患者Ｐの閉塞感を軽減し、また、患者Ｐの視野の狭窄を軽減することができる。患者固定具１３７は、例えば、上記形状を有する金型を用いて樹脂等の非磁性材料により一体的に成型される。
【００４９】
図５、図６、図７及び図８に示すように、スクリーン６３は、移動台車６１に立設されている。スクリーン６３には図示しない映写機１００からの映像が投影される。スクリーン６３は、移動台車６１に対して傾き可能に設けられている。具体的には、移動台車６１に設けられた傾動機構（図示せず）により傾動可能に設けられている。移動台車６１の表面に対するスクリーン６３の傾き角度を調節することにより、スクリーン６３は移動台車６１の表面に対して垂直又は所定の傾斜角度で保持される。上記の通り、映写機１００は、スクリーン６３を挟んで寝台１３とは反対側に配置される。
【００５０】
ここで、スクリーン６３の映写機１００側の面を裏面、寝台１３側の面を表面と呼ぶことにする。表面に映像を映し出すため、スクリーン６３は半透明の材料で形成されると良い。このような半透明の材料としては、半透明のプラスチックや磨りガラス等が用いられると良い。スクリーン６３が半透明材料により形成されることにより、映写機１００から射出された投影光ＬＰはスクリーン６３の裏面に照射され、投影光ＬＰに対応する映像が表面に映し出される。これにより患者Ｐ等は、寝台１３側から、表面に映し出された映像を見ることができる。
【００５１】
スクリーン６３は、平面形状を有する型式であっても曲面形状を有する型式であっても良い。曲面形状を有する場合、凹面が寝台１３側を向く、すなわち、表面を成すように配置されると良い。凹面が寝台１３側を向くことにより、天板１３１に載置された患者Ｐの頭部の後方周辺をスクリーン６３で覆うことが可能となる。これにより患者Ｐの視野をスクリーン６３に映し出された映像で満たし、映像に没入させることが可能となる。
【００５２】
図９、図１０、および図１１は、ボア５３内に配置された様々な外形形状のスクリーン６３の正面を模式的に示す図である。図９におけるスクリーン６３の外形形状は、略円形形状である。図１０に示すスクリーン６３の外形形状は、略楕円形状である。図１１に示すスクリーン６３の外形形状は、六角形形状である。スクリーン６３の外形形状は、ボア５３の開口形状に必ずしも対応させる必要はなく、例えば、上記９乃至図１１に示した一例の他に、任意の多角形等であってもよい。
【００５３】
図５、図６、図７及び図８に示すように、光学素子７３は、支持ベース７５とガイド７７とを介して、移動台車６１に搭載される。光学素子７３は、移動台車６１に搭載されるため、レール５５に沿った移動台車６１の移動とともに、Ｚ軸に移動可能となる。さらに、光学素子７３は、Ｚ軸方向に沿った移動台車６１の移動とは独立または連動して、Ｚ軸（中心軸）に沿って移動可能である。光学素子７３と支持ベース７５とガイド７７とは、非磁性材料により形成される。
【００５４】
支持ベース７５は、光学素子７３の端部を介して光学素子７３を支持し、ガイド７７に沿ってＺ軸方向にスライド可能なベース（移動支持ベース）である。支持ベース７５の上面には、光学素子７３が接続される。なお、支持ベース７５は、光学素子７３の下面または上面を支持するフレーム構造を有していてもよい。ガイド７７に対する支持ベース７５の摺動性を向上させるため、支持ベース７５の下面には、図示していない車輪が設けられるとよい。
【００５５】
このとき、ガイド７７は、移動台車６１の上面において、スクリーン６３と支持アーム６５との間の位置に、Ｚ軸方向に沿って車輪が走行可能な空隙として設けられる。これにより、支持アーム６５とスクリーン６３とへの光学素子７３の接触は回避される。
【００５６】
上記構成により、支持アーム６５と、反射板６７と、スクリーン６３とに対する光学素子７３の相対的な位置関係は、光学素子７３に対するユーザの操作（Ｚ軸方向に沿った押し引き）により、適宜変更可能である。なお、支持ベース７５は、上記相対的な位置関係を固定して、光学素子７３を支持するベース（固定ベース）であってもよい。このとき、上記ガイド７７は不要となる。
【００５７】
なお、ガイド７７は、如何なる形態により実現されてもよい。例えば、直動軸受を介して支持ベース７５とガイド７７とが接触する場合、ガイド７７は、ガイドレールにより実現される。このとき、直動軸受は、支持ベース７５の下面に設けられる。また、支持ベース７５の下面に歯車（ピニオン（pinion））が設けられる場合、ガイド７７は、ラック（rack）により実現される。また、支持ベース７５の下面にナットが設けられる場合、ガイド７７は、送りネジにより実現される。
【００５８】
光学素子７３は、非磁性の材料により構成され、収束素子と、拡散素子と、反射素子とのうち少なくとも一つを有する。収束素子は、投影光ＬＰのうちスクリーン６３に到達不能な光（以下、余剰光と呼ぶ（漏れ光とも称される））を屈折または回折させることにより、余剰光を収束させる収束機能を有する。拡散素子は、余剰光を拡散させる拡散機能を有する。反射素子は、余剰光を反射させる反射機能を有する。
【００５９】
収束素子は、例えば、凸形状と鋸歯形状と凹凸形状とのうち少なくとも一つの形状を有する。なお、収束素子の形状は、上記形状に限定されない。凸形状の収束素子は、例えば、凸レンズである。鋸歯形状の収束素子は、例えば、フレネルレンズである。凹凸形状の収束素子は、例えば、凹凸レンズである。なお、収束素子は、セルフォック（登録商標）レンズ、非球面レンズなどの他のレンズ等で実現されてもよい。
【００６０】
拡散素子は、例えば、凹形状と凹凸形状と格子形状とのうち少なくとも一つの形状等を有する。凹形状の拡散素子とは、例えば凹レンズである。凹凸形状の拡散素子とは、例えば、拡散素子の表面において、微細な凹凸の起伏形状（レリーフ形状）を有する。格子形状の拡散素子とは、例えば、拡散素子の表面において、回折格子を有する拡散素子である。なお、拡散素子は、微細な凹凸形状または回折格子を有する回折レンズ等の他のレンズ、プリズム等であってもよい。
【００６１】
反射素子は、アクリルにアルミ蒸着処理を施した鏡、または誘電体膜を付着させたハーフミラー等である。収束素子と拡散素子と反射素子とは、空気と光学素子７３本体の材質とにおける屈折率に基づいて作製されるため、プラスチックとガラスとのうち少なくとも一方により構成される。
【００６２】
スクリーン６３の周囲に帯状に配置される光学素子７３の形状は、スクリーン６３の外形形状に対応する形状に限定されない。図１２および図１３は、ボア５３内に配置された様々な外形形状のスクリーン６３の正面を、光学素子７３とともに模式的に示す図である。図１２に示すように、スクリーン６３の外形形状が略円形形状である場合、光学素子７３の形状は、優弧（major arc）と弦とにより構成される外形形状を有する。このとき、光学素子７３の優弧の端部が、支持ベース７５に接続される。図１３に示すように、スクリーン６３の外形形状が略円形形状であって、スクリーン６３の周囲における光学素子７３の形状が、６角形により構成される外形形状を有する。
【００６３】
また、光学素子７３は、収束素子と拡散素子と反射素子とのうち少なくとも一種類の複数素子を一体化させることにより形成されてもよいし、収束機能と拡散機能と反射機能とのうち少なくとも一つの機能を有する中実の（中身の詰まった）半透明または透明チューブにより形成されてもよい。なお、光学素子７３の中心線に直交する断面の形状（以下、断面形状と呼ぶ）は、同一形状に限定されない。光学素子７３の中心線とは、光学素子７３の長辺に沿った線である。
【００６４】
例えば、光学素子７３の形状が優弧と弦とにより構成される場合、優弧に沿った線が光学素子７３の中心線に対応する。光学素子７３の断面形状は、中心線上における位置に応じて異なっていてもよい。例えば、光学素子７３の断面の厚みは、所望の効果を実現させるように、一部分が薄くてもよい。
【００６５】
図１４は、ボア５３内に配置されたスクリーン６３の正面を模式的に示す図である。図１４に示すように、スクリーン６３は、架台筐体５１のボア５３に接する内壁５７の径ＲＢよりも小さい外径ＲＳを有する。このように外径ＲＳを内径ＲＢよりも小さく設計することにより、移動式スクリーン装置１５をボア５３内に挿入することができる。
【００６６】
なお、ボア５３内には架台１１に設けられた換気ファン（図示せず）から風が流れている。スクリーン６３の縁と内壁５７との間に隙間Ｇ１が設けられることにより、換気ファンから送り出される風がスクリーン６３により遮られることを防止することができる。外径ＲＳとしては、例えば、内径ＲＢよりも１０ｍｍから５０ｍｍ小さく設計されると良い。換言すれば、隙間Ｇ１は、１０ｍｍから５０ｍｍに設計されると良い。
【００６７】
光学素子７３は、余剰光を受光可能な位置に配置される。例えば、光学素子７３は、図１４に示すように、隙間Ｇ１に配置される。このとき、光学素子７３は、余剰光を、内壁５７に投影させる。具体的には、光学素子７３は、隙間Ｇ１を通過した余剰光を、架台筐体５１の内壁５７（ボア壁面）周辺に、投影する。光学素子７３は、上記種々の素子により、意図的に所望の配光特性となるように、設計される。これにより、光学素子７３は、設計された配光特性に従って投影光ＬＰを成形する。
【００６８】
図５、図６、図７及び図８に示すように、支持アーム６５は移動台車６１に取り付けられる。後述するように、支持アーム６５は、Ｚ軸方向に関してスライド可能に移動台車６１に取り付けられている。支持アーム６５は、反射板６７をスクリーン６３の表面側の空間に配置するように支持する。反射板６７は、移動台車６１と天板１３１とが連結されている状態において、天板１３１に載置された患者Ｐの頭部にぶつからない程度に、移動台車６１の表面から離間して支持アーム６５により支持される。
【００６９】
支持アーム６５は、架台１１の外部からスクリーン６３を見た場合に当該外部観察者の視界を遮らないような形状を有している。当該外部観察者の視界を遮らないため、支持アーム６５は、図５、図６、図７及び図８に示すように、スクリーン６３の輪郭に沿った円弧部分を有する半環形状又は半鞍形状を有すると良い。この場合、支持アーム６５の両端が移動台車６１の側部に取り付けられ、支持アーム６５の円弧部分がスクリーン６３の表面側の空間に位置するように、支持アーム６５が移動台車６１に取り付けられる。
【００７０】
なお、支持アーム６５の形状は上記の半円環形状又は半鞍形状に限定されず、反射板６７をスクリーン６３の表面側の空間に配置可能であれば如何なる形状を有していても良い。例えば、支持アーム６５は、略棒形状を有する一対のアームにより構成されても良い。この場合、当該一対のアームの一端が移動台車６１の両側部に取り付けられ、他端に反射板６７が取り付けられると良い。
【００７１】
図５、図６、図７及び図８に示すように、反射板６７は、支持アーム６５の略最上部に設けられている。反射板６７は、スクリーン６３の表面に映し出された映像を反射する。反射板６７は、非磁性材料により形成され、対象を光学的に反射可能であれば如何なる素材により形成されても良い。例えば、反射板６７としては、アクリルにアルミ蒸着処理を施した鏡や誘電体膜を付着させたハーフミラー等が用いられれば良い。患者固定具１３７に頭部が配置された患者Ｐは、表面に投影された映像を、反射板６７を介して見ることができる。
【００７２】
なお、反射板６７の外形形状は、一つの平面（１面）形状に限定されず、多面形状、湾曲形状など、任意の形状であってもよい。図１５は、様々な外形形状の反射板６７の一例を示す図である。図１５に示すように、反射板６７の外形形状は、例えば、１つの平面形状、３面鏡的な３面形状、４面形状を有する。
【００７３】
反射板６７は、患者Ｐにより反射板６７の角度を手動で調整するために、支持アーム６５に回転可能に設けられている。具体的には、支持アーム６５に設けられた回転機構（図示せず）により回転軸ＲＲ１回りに回転可能に設けられている。回転軸ＲＲ１は、例えば、スクリーン６３の表面に対する反射板６７の向きを調節可能なようにＸ軸に平行に設けられる。
【００７４】
より詳細には、支持アーム６５は、少なくとも、後述する第１の映写形式のための第１の角度と第２の映写形式のための第２の角度との間で切替可能に設けられると良い。第１の映写形式は、架台１１外から反射板６７を介さずにスクリーン６３の映像を見る形式である。そのため、第１の映写形式における反射板６７の第１の角度は、架台１１外にいる患者Ｐ等の視界を遮らない角度、例えば、略水平に設定されると良い。第２の映写形式はボア５３内において反射板６７を介して映像を見る形式である。そのため、第２の映写形式における反射板の第２の角度は、観察者たる患者Ｐの体格等に応じて、水平と垂直との間の任意の角度に設定されると良い。
【００７５】
反射板６７のＺ軸に関する位置を調節するため、支持アーム６５のスライド機構７１が移動台車６１に設けられると良い。図１６は、図６の支持アーム６５がＺ軸に関してスライドされた移動式スクリーン装置１５の側面を示す図である。図６と図１６とに示すように、スライド機構７１は、支持アーム６５のＺ軸に沿うスライドを案内するガイド６１１が移動台車６１に形成されている。ガイド６１１は、支持アーム６５とスクリーン６３とへの接触を回避するため、移動台車６１の両側面においてＺ軸に沿って設けられている。
【００７６】
ガイド６１１は如何なる形態により実現されても良いが、例えば、移動台車６１の側面にＺ軸に沿って設けられた空隙により実現される。図６と図１６とに示すように、支持アーム６５の摺動性を高めるため、支持アーム６５のうちのガイド６１１に面する基部には車輪６５１が設けられると良い。スライド機構７１が設けられることにより、医師や技師、看護士等の医療従事者及び患者Ｐ等が支持アーム６５をＺ軸方向に押したり引いたりすることにより反射板６７をスクリーン６３に対して接近又は離間することができる。これにより、反射板６７のＺ軸方向に関する位置を調節することができる。
【００７７】
なお上記の説明においてスライド機構７１は、移動台車６１に設けられたガイド６１１と支持アーム６５に設けられた車輪６５１とにより実現されるものとした。しかしながら、本実施形態はこれに限定されない。本実施形態に係るスライド機構７１としては、支持アーム６５を移動台車６１に対して相対的にスライド可能であれば如何なる機構であっても良い。例えば、支持アーム６５にＺ軸に沿うガイドが設けられ、当該ガイドを走行する車輪が移動台車６１に設けられても良い。また、スライド機構７１は、ボールネジやスライドレール等により実現されても良い。
【００７８】
図１７は、架台１１のボア５３に配置された移動式スクリーン装置１５の簡易な側面図である。図１７に示すように、移動式スクリーン装置１５の移動台車６１がレール５５にスライド可能に設けられている。典型的には、移動式スクリーン装置１５には駆動装置が搭載されていない。移動式スクリーン装置１５は、寝台駆動装置１３５による天板１３１のスライドに連動してスライドする。
【００７９】
なお、移動式スクリーン装置１５は、患者Ｐや医療従事者（ユーザ）等により押したり引いたりすることによりＺ軸に関してスライドすることも可能である。図１７における矢印ａｒ１は、移動式スクリーン装置１５におけるスライドの方向を示している。図１７における矢印ａｒ２は、移動式スクリーン装置１５上において、光学素子７３の移動の方向を示している。
【００８０】
上記の構成により本実施形態に係る磁気共鳴イメージング装置１０は、移動式スクリーン装置１５がボア５３の寝台側端部に配置された状態において移動式スクリーン装置１５に映像を投影する第１の映写形式と、天板１３１と移動式スクリーン装置１５とが連結した状態において移動式スクリーン装置１５に映像を投影する第２の映写形式とを実現することができる。
【００８１】
図１８は、第１の映写形式における移動式スクリーン装置１５を架台１１の側方から示す図である。図１９は、第１の映写形式における移動式スクリーン装置１５を架台１１の正面から示す斜視図である。図１８と図１９とに示すように、第１の映写形式において移動式スクリーン装置１５は、スクリーン６３がボア５３の寝台側端部に位置するように配置される。
【００８２】
第１の映写形式において患者Ｐや医療従事者は、架台筐体５１の外側からスクリーン６３に映し出された映像ＰＩを反射板６７を介さずに見ることとなる。スクリーン６３および光学素子７３が寝台側端部に配置されるので、スクリーン６３および光学素子７３がボア５３を塞ぎ、患者Ｐがボア５３の内部を見ることを防止することができる。
【００８３】
このとき、スクリーン６３に映像ＰＩが映し出される。また、隙間Ｇ１を通過する余剰光ＲＬは、光学素子７３に入射する。光学素子７３は、入射した余剰光ＲＬを、架台筐体５１の内壁５７に投影させる。なお、図１８と図１９とに示すように、光学素子７３に入射した余剰光ＲＬは、ボア５３の開口近傍における内壁５７の面取り部分（架台筐体５１のフレア（ｆｌａｒｅ）部分）７９に、投影されてもよい。
【００８４】
これらのことから、ボア５３が検査空間であるという患者Ｐの認識を鈍らせ、ボア５３内へ入り込むことへの恐怖感を和らげることができる。以下、第１の映写形式のための架台１１、寝台１３及び移動式スクリーン装置１５の配置形態を第１の配置形態と呼ぶことにする。
【００８５】
図２０は、第２の映写形式における移動式スクリーン装置１５を架台１１の側方から示す図である。図２０に示すように、第２の映写形式において患者Ｐは、天板１３１に載置されてボア５３に挿入された状態において、スクリーン６３の表面に映し出された映像を反射板６７を介して主に視認し、光学素子７３により余剰光ＲＬが投影された内壁５７を視認することとなる。天板１３１と移動式スクリーン装置１５とが連結しているため、移動式スクリーン装置１５のＺ軸方向のスライドに関わらず患者Ｐとスクリーン６３との距離は一定に保たれる。よってスクリーン６３に映し出される映像への没入感を高め、ボア５３内での閉塞感を和らげることができる。以下、第２の映写形式のための架台１１、寝台１３及び移動式スクリーン装置１５の配置形態を第２の配置形態と呼ぶことにする。
【００８６】
図２１は、第２の配置形態における移動式スクリーン装置１５と架台１１との斜視図である。図２１に示すように、第２の配置形態において、光学素子７３は、スクリーン６３と内壁５７との間に配置される。このとき、投影光ＬＰのうち余剰光ＲＬは、光学素子７３に投影される。光学素子７３は、自身の配光特性により、内壁５７に余剰光ＲＬを投影させる。このとき、患者Ｐは、自身の視角範囲（視野）の略中央部分において、スクリーン６３に投影された映像を反射板６７を介して視認し、視角範囲における反射板６７が占める領域の外側の領域において、光学素子７３により反射、拡散、収束された余剰光ＲＬが投影された内壁５７を視認することができる。
【００８７】
図２２は、スクリーン６３と支持アーム６５との間に配置された光学素子７３と、光学素子７３により拡散された余剰光ＲＬとの一例を示す図である。図２２に示すように、光学素子７３は、Ｚ軸に直交し、かつスクリーン６３と支持アーム６５との間に位置する。図２３は、移動台車６１上において、映写機１００とスクリーン６３との間に配置された光学素子７３と、光学素子７３により拡散された余剰光ＲＬとの一例を示す図である。図２３に示すように、光学素子７３は、Ｚ軸に直交し、かつ移動台車６１上においてスクリーン６３と映写機１００との間に位置する。図２２および図２３に示すように、移動台車６１上における光学素子７３の位置は、ユーザによる操作により、適宜調整可能である。
【００８８】
図２２および図２３に示す点線５５１は、レール５５上における移動台車６１の車輪６５１の走行面に対応する。図２２および図２３に示すように、隙間Ｇ１を通過する余剰光ＲＬは、光学素子７３により、内壁５７の一部領域（以下、余剰光投影領域と呼ぶ）５７１に投影される。図２２および図２３から明らかなように、余剰光ＲＬは、光学素子７３により、光学素子７３が未搭載な場合と比べてより広い範囲に拡散される。また、図５乃至図１４、および図１６乃至図２３に示すように、光学素子７３は、Ｚ軸に直交し、スクリーン６３の周囲の一部（スクリーン６３の下方を除く周囲）を帯状に囲む。
【００８９】
図２４は、Ｚ軸に対して所定の傾きを設けて移動台車６１に搭載された光学素子７３の一例を示す図である。図２４において、光学素子７３は、移動台車６１に固定されているが、移動支持ベースに支持されてもよい。図２４に示すように、光学素子７３は、Ｚ軸に対して所定の傾きで、内壁５７の周方向に沿った帯形状を有する。所定の傾きとは、図２４に示すように、例えば、Ｚ軸と光学素子７３の中心線で規定される面（以下、素子面と呼ぶ）との間の角度θ、または素子面と移動台車６１との間の角度θである。なお、素子面は、Ｚ軸に対して湾曲していてもよい。
【００９０】
以上に述べた構成によれば、以下に示す効果を得ることができる。  
本実施形態に係る磁気共鳴イメージング装置１０によれば、スクリーン６３と内壁５７との間に配置された光学素子７３により、剰余光ＲＬを意図的に拡散、反射、収束させて整形し、ＭＲ検査における撮像品質に悪影響を与えることなく、内壁５７に投影させることができる。これにより、天板１３１に載置された患者Ｐは、自身の視角範囲の中心領域においてスクリーン６３に投影された映像を反射板６７を介して視認しつつ、かつ光学素子７３によりボア５３内が効果的に照らされることで、患者Ｐの視角範囲の周辺部において光学素子７３を介して内壁５７に投影された映像を視認することができる。
【００９１】
すなわち、本実施形態に係る磁気共鳴イメージング装置１０によれば、本磁気共鳴イメージング装置１０のボア５３内に挿入された患者Ｐの視角範囲の略全域を、映写機１００から投影された映像で満たすことが可能となる。これらのことから、本実施形態に係る磁気共鳴イメージング装置１０によれば、ボア５３に挿入された患者Ｐは、映像および余剰光ＲＬにつつまれた感覚、すなわち映像に対する没入感を得ることができる。
【００９２】
以上のことから、本磁気共鳴イメージング装置１０によれば、患者Ｐに対するＭＲ検査時において、患者Ｐ近傍にＲＦコイル４５や支持アーム６５が配置されていたとしても、患者Ｐに開放感を与え、患者Ｐの不安、患者Ｐにおける圧迫感・装着感・閉塞感を軽減し、かつ患者Ｐをリラックスさせる検査空間（患者Ｐに安心感を与える環境）を提供することができる。例えば、撮像中において、気分をリラックスさせるための投影（例えば、スクリーン６３に投影された映像）に患者Ｐを集中させることができる。
【００９３】
加えて、本磁気共鳴イメージング装置１０によれば、上記効果により、ＭＲ検査時において、患者Ｐに対して検査時間を実際の長さより短く感じさせることができ、かつ患者Ｐが十分リラックスすることにより患者を静置させることができる。これにより、ＭＲ画像の品質を向上させることができる。
【００９４】
（第1の変形例）  
本変形例と実施形態との相違は、光学素子７３がスクリーン６３の外縁部分（エッジ部分）に、スクリーン６３と一体化させて配置、または隣接して配置されることにある。
【００９５】
光学素子７３は、スクリーン６３の外縁部分にスクリーン６３と一体化させて配置される。すなわち、光学素子７３とスクリーン６３とは、一体成形される。なお、光学素子７３は、スクリーン６３のエッジ部分に隣接して、接合または接着されてもよい。本変形例においては、支持ベース７５およびガイド７７は不要となる。
【００９６】
図２５は、ボア５３内に配置された移動式スクリーン装置１５を上面から見た上面図である。図２６は、ボア５３内に配置された移動式スクリーン装置１５を側面から見た側面図である。図２５および図２６に示すように、光学素子７３は、スクリーン６３のエッジ部分に配置される。なお、図２５において、支持アーム６５と反射板６７とは、説明の便宜上省略されている。図２５および図２６に示すように、光学素子７３は、スクリーン６３と内壁５７との間に位置する。図２５および図２６における光学素子７３は、プリズムを示している。
【００９７】
本変形例に係る磁気共鳴イメージング装置１０によれば、本実施形態に係る効果に加えて、以下に示す効果を得ることができる。  
本変形例に係る磁気共鳴イメージング装置１０によれば、光学素子７３をスクリーン６３のエッジ部分に配置することができる。これにより、本実施形態における構成における支持ベース７５およびガイド７７が不要となり、本移動式スクリーン装置１５の製造コストを低減できる。加えて、本変形例に係るスクリーン６３の面積を本実施形態におけるスクリーン６３の面積に比べて大きくすることができる。
【００９８】
これにより、本変形例に係る磁気共鳴イメージング装置１０によれば、患者Ｐの視角範囲においてより広い範囲にスクリーン６３の映像を患者に提供することができ、ボア５３に挿入された患者Ｐに対して、映像および余剰光ＲＬにつつまれた感覚、すなわち映像に対する没入感をさらに向上させることができる。
【００９９】
（第２の変形例）  
本変形例と実施形態との相違は、支持アーム６５として光学素子７３が用いられることにある。
【０１００】
光学素子７３は、反射板６７を支持可能な剛性を有する。なお、光学素子７３の下面には、光学素子７３の剛性を向上させるためのフレームが設けられてもよい。フレームは、非磁性材料により構成される。本変形例においては、支持アーム６５と支持ベース７５とガイド７７とは不要となる。光学素子７３の上端部分には、回転軸を有する回転機構（図示せず）を介して、反射板６７が設けられる。回転軸は、例えば、スクリーン６３の表面に対する反射板６７の向きを調節可能なようにＸ軸に平行に設けられる。
【０１０１】
図２７は、ボア５３内に配置された移動式スクリーン装置１５を側面から見た側面図である。図２７に示すように、光学素子７３は、反射板６７を回転軸ＲＲ１周りに回転可能に支持する。図２７に示すように、光学素子７３は、スクリーン６３と内壁５７との間に位置する。
【０１０２】
本変形例に係る磁気共鳴イメージング装置１０によれば、本実施形態に係る効果に加えて、以下に示す効果を得ることができる。  
本変形例に係る磁気共鳴イメージング装置１０によれば、光学素子７３は、反射板６７を支持可能な剛性を有し、回転軸ＲＲ１周りに回転可能に反射板６７を支持することができる。これにより、本実施形態における構成における支持ベース７５およびガイド７７が不要となり、本移動式スクリーン装置１５の製造コストを低減できる。加えて、本変形例に係るスクリーン６３の面積を本実施形態におけるスクリーン６３の面積に比べて大きくすることができる。
【０１０３】
これにより、本変形例に係る磁気共鳴イメージング装置１０によれば、患者Ｐの視角範囲においてより広い範囲にスクリーン６３の映像を患者に提供することができ、ボア５３に挿入された患者Ｐに対して、映像または余剰光ＲＬにつつまれた感覚、すなわち映像に対する没入感をさらに向上させることができる。
【０１０４】
（第３の変形例）  
本変形例と実施形態との相違は、スクリーン６３と内壁５７との間の位置と映写機１００における焦点とを結ぶ光路に沿って光学素子７３を並べること、または光路を横切るように光学素子７３を並べることにある。
【０１０５】
支持ベース７５は、少なくとも２種類の光学素子７３を支持する。例えば、支持ベース７５は、スクリーン６３と内壁５７との間の位置と映写機１００における焦点とを結ぶ光路（以下、余剰光光路と呼ぶ）に対して、光学的な機能（以下、光学機能と呼ぶ）が異なる少なくとも２種類の光学素子７３を並列させて支持する。光学機能が異なる少なくとも２種類の光学素子７３とは、例えば、収束素子（例えば凸レンズ）および拡散素子（例えば凹レンズ）の組、反射素子（例えばハーフミラー）および拡散素子（例えば凹レンズ）の組等であり、所望の光学機能に応じて、任意に組み合わせることが可能である。支持ベース７５は、余剰光光路に対して、光学機能が異なる少なくとも２種類の光学素子７３を直列させて支持してもよい。
【０１０６】
図２８は、光学素子７３を余剰光光路に対して並列させて配置した移動式スクリーン装置１５の一例を示す図である。図２８に示すように、支持ベース７５は、余剰光光路に対して異なる２つの光学素子７３を並列させて支持する。図２８において、並列される光学素子７３は、凸レンズ７３１と凹レンズ７３２である。図２８に示すように、凸レンズ７３１を凹レンズ７３２より内壁５７側に配置することにより、凸レンズ７３１に入射した余剰光ＲＬは、凸レンズ７３１により収束され、凹レンズ７３２による余剰光投影領域５７１に投影される。
【０１０７】
また、図２８に示すように、凹レンズ７３２を凸レンズ７３１より移動台車６１側に配置することにより、余剰光ＲＬのうち隙間Ｇ１において内壁５７から最も遠い余剰光は、凹レンズ７３２により拡散され、スクリーン６３からより離れた位置の内壁５７に投影される。図２８によれば、患者Ｐの視角範囲において、余剰光投影領域５７１を所望の領域に設定することができる。
【０１０８】
図２９は、光学素子７３を余剰光光路に対して直列させて配置した移動式スクリーン装置１５の一例を示す図である。図２９に示すように、２つの支持ベース（７５１、７５２）は、余剰光光路に対して異なる２つの光学素子７３を直列させて支持する。図２９において、直列される光学素子７３は、凸レンズ７３１と凹レンズ７３２である。移動台車６１上において、凸レンズ７３１を支持する支持ベース７５１は、凹レンズ７３２を支持する支持ベース７５２よりスクリーン６３側に位置する。換言すれば、凹レンズ７３２を支持する支持ベース７５２は、凸レンズ７３１を支持する支持ベース７５１より反射板６７側に位置する。
【０１０９】
図２９に示すように、凸レンズ７３１を通過した余剰光ＲＬは、凹レンズ７３２を通過して、内壁５７に投影される。これにより、図２９によれば、患者Ｐの視角範囲において、余剰光ＲＬを効率よく内壁５７に投影させることができる。なお、凸レンズ７３１を支持する支持ベース７５１と凹レンズ７３２を支持する支持ベース７５２とは、所定の距離隔てて、接続フレームにより接続されてもよい。所定の距離は、例えば、光学素子７３の厚み、光学素子７３の配光特性および余剰光投影領域５７１等に応じて予め決定される。なお、接続フレームは、映写機１００と凸レンズ７３１を支持する支持ベース７５１との距離に応じて自身の長さが可変される可変機構を有していてもよい。可変機構とは、例えば、Ｚ軸に沿って伸縮可能な伸縮シャフトまたは伸縮パイプである。
【０１１０】
図３０は、光学素子７３を余剰光光路に対して並列させて配置した移動式スクリーン装置１５の一例を示す図である。図３０において、並列される光学素子７３は、ハーフミラー７３３と凹レンズ７３２である。図３０に示すように、ハーフミラー７３３を凹レンズ７３２より内壁５７側に配置することにより、余剰光ＲＬのうち隙間Ｇ１において内壁５７に最も近い余剰光は、ハーフミラー７３３により一部の光が反射され、スクリーン６３と映写機１００との間の内壁５７に投影される。これにより、ハーフミラー７３３で反射された余剰光ＲＬにより照らされた内壁５７により、患者Ｐを光で包含することも可能となる。
【０１１１】
図３０における凹レンズ７３２は、図２８の凹レンズと同様な作用を有する。また、図３０において、スクリーン６３のエッジ近傍を通過した余剰光を光学素子７３（反射素子）により反射させ、拡散素子を通過した余剰光ＲＬによる反射素子の背面への投影を補う構造であってもよい。なお、第１の配置形態において、図３０におけるハーフミラー７３３は、図１８に示す架台筐体５１のフレア部分７９を、剰余光ＲＬにより照らすことも可能となる。
【０１１２】
本変形例に係る多種の光学素子７３の配置パターンは、上記図２８乃至図３０における配置パターンに限定されない。例えば、凸レンズ７３１および凹レンズ７３２の代わりに累進レンズが用いられてもよいし、目的に応じた配光特性を実現するために、より複雑な光学素子７３の組み合わせが用いられてもよい。
【０１１３】
本変形例に係る磁気共鳴イメージング装置１０によれば、本実施形態に係る効果に加えて、以下に示す効果を得ることができる。  
本変形例に係る磁気共鳴イメージング装置１０によれば、余剰光光路に対して、光学機能が異なる少なくとも２種類の光学素子７３を並列させて支持することができる。これにより、本磁気共鳴イメージング装置１０によれば、患者Ｐの視角範囲において、余剰光投影領域５７１を所望の領域に設定することができ、余剰光ＲＬを効率よく内壁５７に投影させることができる。
【０１１４】
以上のことから、本変形例に係る磁気共鳴イメージング装置１０によれば、光学素子７３を光学機能に応じて適宜組み合わせることで、目的に応じた余剰光ＲＬの配光特性を実現することができる。これにより、本変形例に係る磁気共鳴イメージング装置１０によれば、ボア５３に挿入された患者Ｐに対して、映像および余剰光ＲＬにつつまれた感覚、すなわち映像に対する没入感をさらに向上させることができる。
【０１１５】
（第４の変形例）  
本変形例と実施形態との相違は、スクリーン６３の周囲に配置された光学素子７３の中心線を回転軸（以下、素子回転軸と呼ぶ）として、光学素子７３が回転可能に移動台車６１に搭載されることにある。
【０１１６】
光学素子７３の両端は、素子回転軸周りに回転可能に支持ベース７５に搭載される。このとき、光学素子７３は、自立可能な剛性を有する材料により一体的に形成される。光学素子７３は、本変形例に限らず、アクリルなどの高剛性の物質に限定されない。例えば、光学素子７３は、弾性体、中実の半透明または透明チューブにより形成されてもよい。
【０１１７】
光学素子７３と支持ベース７５との接続部分または光学素子７３には、上記回転に対する目盛りが設けられる。光学素子７３に対するユーザの回転操作により、光学素子７３は、素子回転軸周りに回転する。すなわち、上記操作により、余剰光ＲＬに対する光学素子７３の向き（角度）が変わる。例えば、ユーザは、映写機１００の位置、目盛り、余剰光投影領域５７１等を参照して、ユーザが所望する回転角度に光学素子７３を回転させる。
【０１１８】
なお、スクリーン６３の周囲に配置された光学素子７３は、本変形例に限らず、一体成形された構造に限定されない。すなわち、光学素子７３は、複数の部分的な光学素子により構成されてもよい。図３１は、光学素子７３が複数の部分的な光学素子により構成される移動式スクリーン装置１５に関する正面図である。
【０１１９】
光学素子７３は、第１光学素子７３５と、第２光学素子７３７と、第３光学素子７３９とを有する。なお、部分的な光学素子の数は、３つに限定されず、例えば、図１３に示すように、光学素子７３が多角形形状を有する場合、辺の数に対応する。図３１に示すように、第１光学素子７３５は、内壁５７の一方の側部に配置される。第２光学素子７３７は、内壁５７の他方の側部に配置される。第３光学素子７３９は、内壁５７の上部に配置される。
【０１２０】
第１回転接続器７４は、第１光学素子７３５と第３光学素子７３９とを、互いに独立して素子回転軸周りに回転可能に接続する。第２回転接続器７６は、第２光学素子７３７と第３光学素子７３９とを、互いに独立して素子回転軸周りに回転可能に接続する。第１回転接続器７４と第２回転接続器７６とは、非磁性材料で形成される。なお、第１回転接続器７４と第２回転接続器７６とには、映写機１１０に直面する表面において、反射機能を有する光学素子が設けられてもよい。第１回転接続器７４と第２回転接続器７６とは、支持フレーム６８を支持する。支持フレーム６８は、支持フレーム６８を回転軸として反射板６７を回転可能に支持する。
【０１２１】
第１回転接続器７４と第２回転接続器７６とは、例えば、軸受（ベアリング：bearing）と、光学素子各々の回転を制限するラチェットとを有する。例えば、第１回転接続器７４において転がり軸受が用いられた場合、例えば、転がり軸受の内輪には第３光学素子７３９が嵌合され、外輪には第１光学素子７３５が嵌合される。また、第２回転接続器７６において転がり軸受が用いられた場合、例えば、転がり軸受の内輪には第３光学素子７３９が嵌合され、外輪には第２光学素子７３７が嵌合される。
【０１２２】
ラチェットにおける歯止め（爪）は、例えば、所定の剛性を有する弾性体により構成される。所定の剛性とは、第１乃至第３光学素子各々に対してユーザにより所定の回転力が加えられるまで、第１乃至第３光学素子を固定する程度の剛性である。歯止めが弾性体であるため、第１乃至第３光学素子は、素子回転軸周りにいずれの回転方向にも回転可能となる。第１回転接続器７４におけるラチェットの周囲には、第１光学素子７３５の回転状態（角度）を示す目盛りと、第３光学素子７３９の回転状態（角度）を示す目盛りとが設けられる。また、第２回転接続器７６とにおけるラチェットの周囲には、第２光学素子７３７の回転状態（角度）を示す目盛りと、第３光学素子７３９の回転状態（角度）を示す目盛りとが設けられる。
【０１２３】
上記構成により、第１光学素子７３５と、第２光学素子７３７と、第３光学素子７３９とは、ユーザによる所定の回転力により、それぞれ独立に素子回転軸周りに回転可能となる。すなわち、光学素子７３の方向調整が可能となる。具体的には、第１光学素子７３５は、図３１における矢印ＲＡ１に示すような回転が可能となる。第２光学素子７３７は、図３１における矢印ＲＡ２に示すような回転が可能となる。第３光学素子７３９は、図３１における矢印ＲＡ３に示すような回転が可能となる。
【０１２４】
また、ラチェットにより、第１乃至第３光学素子は、ユーザによる所定の回転力が加えられるまで、回転不能となる。なお、第１回転接続器７４と第２回転接続器７６とは、上記機能が実現できれば、軸受とラチェットとによる構成に限定されない。また、反射板６７が支持アーム６５により支持されるとき、支持フレーム６８は、不要となる。
【０１２５】
図３２は、光学素子７３が複数の部分的な光学素子により構成される移動式スクリーン装置１５の側面を示す側面図である。図３２は、第３光学素子７３９の回転前後の余剰光投影領域を示している。図３２における第１余剰光投影領域５７３は、例えば、第１の配置形態に対応して方向調整された第３光学素子７３９により、余剰光ＲＬが投影される内壁５７の領域を示している。図３２における第２余剰光投影領域５７５は、例えば、第２の配置形態に対応して方向調整された第３光学素子７３９により、余剰光ＲＬが投影される内壁５７の領域を示している。
【０１２６】
図３３は、第１の配置形態において、スクリーン６３のエッジ部分に回転接続器７８を介して接続された光学素子７３を搭載した移動式スクリーン装置１５の側面を示す側面図である。図３３に示すように、光学素子７３は、余剰光ＲＬの少なくとも一部を反射可能な位置に配置される。図３３に示すように、光学素子は、第１の配置形態において、架台筐体５１のフレア部分７９および架台筐体５１の外装面の一部とに投影される。すなわち、図３３における第１余剰光投影領域５７３は、架台筐体５１のフレア部分７９および架台筐体５１の外装面の一部とに対応する。
【０１２７】
また、第２の配置形態において、光学素子７３を通過した余剰光ＲＬは、内壁５７に投影される。すなわち、図３３に示すような光学素子７３（例えば、多面体のプリズムなどの、反射拡散可能な素子）をスクリーン６３のエッジ部分に設けた場合、移動式スクリーン装置１５の配置形態に応じて、余剰光ＲＬが投影される領域は異なる。
【０１２８】
本変形例に対する応用例として、移動式スクリーン装置１５は、Ｚ軸に沿った支持アーム６５のスライドに応じて、光学素子７３の向き（角度）を変更する機構（以下、方向変更機構と呼ぶ）を有していてもよい。方向変更機構は、例えば、非磁性材料で構成されたボールネジおよびフレキシブルシャフト（または種々の歯車、種々の伝達機構（チェーンおよびスプロケット、プーリー及びベルト、シャフトドライブなど）、自在継手）等により構成される。方向変更機構は、移動台車６１に搭載される。方向変更機構により、余剰光ＲＬの投影方向は、支持アーム６５のスライドに応じて変更される。
【０１２９】
以下、説明を具体的にするために、本応用例に係る移動式スクリーン装置１５は図５に示す形態であって、光学素子７３は、上述したように一体成形されているもの（例えば、中実のチューブ状）であるものとする。また、支持ベース７５は、固定支持ベースとする。支持ベース７５は、光学素子７３に嵌合された非磁性の歯車（以下、素子回転歯車と呼ぶ）を有する。このとき、光学素子７３は、支持ベース７５において光学素子７３に嵌合された素子回転歯車の回転に連動して、素子回転軸周りに回転する。なお、支持ベース７５が移動支持ベースである場合については、後ほど詳述する。
【０１３０】
ボールネジに含まれるナットは、スライド機構７１においてスライドされる部材、例えば、車輪６５１、またはガイド６１１に近接する支持アーム６５の一部分（支持アーム６５においてＺ方向に平行な部分）などに接続される。これにより、ナットは、支持アーム６５のスライドに合わせて、ボールネジのネジ軸上を移動する。ネジ軸は、ナットの移動、すなわち支持アーム６５のスライドに伴って回転する。
【０１３１】
ナットの移動範囲外におけるネジ軸の一端には、フレキシブルシャフトの一端が接続される。フレキシブルシャフトの他端に設けられた歯車（以下、他端歯車と呼ぶ）は、素子回転歯車とかみ合う。支持アーム６５のスライドに伴うネジ軸の回転に従って、フレキシブルシャフトは回転する。フレキシブルシャフトの回転は、他端歯車の回転を介して素子回転歯車に伝達される。
【０１３２】
以上の構成により、光学素子７３は、支持アーム６５のスライドに同調して、余剰光ＲＬを最適な位置に投影させるために、光学素子７３の角度が最適な角度となるように素子回転軸周りに回転する。すなわち、光学素子７３は、支持アーム６５が寝台１３に向けてスライドされたとき、スクリーン６３に到達不能な光を内壁５７に投影させる向きに回転し、支持アーム６５が映写機１００に向けてスライドされたとき、スクリーン６３に到達不能な光を架台１１の外装面における第１余剰光投影領域５７３に投影させる向きに回転する。
【０１３３】
具体的には、第１の配置形態から第２の配置形態への形態の移行後、すなわち支持アーム６５がユーザの操作によりスクリーン６３から寝台１３へ向けてスライドされたとき（支持アーム６５が移動台車６１から引き出されたとき）、光学素子７３の向きは、余剰光ＲＬが第１余剰光投影領域５７３に投影される向きから、余剰光ＲＬが第２余剰光投影領域５７５に投影される向きに切り替わる。
【０１３４】
また、第２の配置形態から第１の配置形態への形態の移行後、すなわち支持アーム６５がユーザの操作により寝台１３からスクリーンに６３へ向けてスライドされたとき（（支持アーム６５が移動台車６１に押し込まれたとき）、光学素子７３の向きは、余剰光ＲＬが第２余剰光投影領域５７５に投影される向きから、余剰光ＲＬが第１余剰光投影領域５７３に投影される向きに切り替わる。
【０１３５】
なお、方向変更機構の構造は、上記説明の構造に限定されない。すなわち、支持アーム６５のスライド（並進運動）を光学素子７３の回転運動に変換させる構造であれば、どのような構造であってもよい。
【０１３６】
また、支持ベース７５に搭載された光学素子７３が、図３１に示す構造を有していた場合、例えば、第１光学素子７３５および第２光学素子７３７の素子回転軸に沿った下端（または）に、フレキシブルシャフトが設けられる。フレキシブルシャフトの回転は、第１回転接続器７４と第２回転接続器７６とにおけるラチェットに伝達される。これにより、第１光学素子７３５と、第２光学素子７３７と、第３光学素子７３９とは、支持アーム６５のスライドに応じて回転する。
【０１３７】
本変形例に対する更なる応用例として、移動式スクリーン装置１５は、Ｚ軸に沿った支持アーム６５のスライドに応じて、スクリーン６３に対する光学素子７３の相対的な位置関係を変更する機構（以下、位置変更機構と呼ぶ）を有していてもよい。位置変更機構は、例えば、梃子である。このとき、支持ベース７５は、位置変更機構により、支持アーム６５のスライドに応じて、上記相対的な位置関係を変更するために、Ｚ軸に沿って移動する。なお、本変形例に対する更なる応用例に係る移動式スクリーン装置１５は、上述した方向変更機構を有していてもよい。
【０１３８】
梃子の一端は、スライド機構７１においてスライドされる部材、例えば、車輪６５１、ガイド６１１に近接する支持アーム６５の一部分などに接続される。梃子の他端には、梃子に沿ってスライド可能な構造物（例えばレールおよび直動軸受）が設けられる。梃子の一端と他端との間には支点が設けられ、移動台車６１に固定される。直動軸受は、支持ベース７５に接続される。以上の構成により、支持アーム６５のスライドに同調して、支持ベース７５は、ガイド７７に沿って移動する。
【０１３９】
以上の構成により、支持ベース７５は、支持アーム６５が寝台１３に向けてスライドされたとき、スクリーン６３と映写機１００との間の位置に移動する。また、支持アーム６５が映写機１００に向けてスライドされたとき、スクリーン６３と反射板６７との間の位置に移動する。
【０１４０】
例えば、支持アーム６５に対するユーザの操作により、支持アーム６５が第１の配置形態から第２の配置形態にスライドすると、光学素子７３の位置は、反射板６７とスクリーン６３とに挟まれた位置から、スクリーン６３と映写機１００との間の位置に移動する。また、支持アーム６５に対するユーザの操作により、支持アーム６５が第２の配置形態から第１の配置形態にスライドすると、光学素子７３の位置は、スクリーン６３と映写機１００との間の位置から、反射板６７とスクリーン６３とに挟まれた位置に移動する。なお、本応用例における移動式スクリーン装置１５が方向変更機構を有していた場合、いずれの場合も、光学素子７３の向きは、支持アーム６５のスライドに応じて変更される。
【０１４１】
なお、位置変更機構の構造は、上記説明の構造に限定されない。すなわち、支持アーム６５のスライドに応じて、支持アーム６５のスライド方向と逆方向に支持ベース７５を移動させる構造であれば、どのような構造であってもよい。
【０１４２】
本変形例に係る磁気共鳴イメージング装置１０によれば、本実施形態に係る効果に加えて、以下に示す効果を得ることができる。  
本変形例に係る磁気共鳴イメージング装置１０によれば、ユーザによる直接的な光学素子７３の回転、またはユーザによる支持アーム６５のスライド、すなわち第１の配置形態と第２の配置形態とに応じて、方向変更機構により、光学素子７３の角度を最適な角度に回転させることができる。また、本変形例に係る磁気共鳴イメージング装置１０によれば、ユーザによる支持アーム６５のスライド、すなわち第１の配置形態と第２の配置形態とに応じて、位置変更機構により、スクリーン６３と光学素子７３との相対的な位置関係を変更するために支持ベースを移動させることができる。
【０１４３】
これにより、本磁気共鳴イメージング装置１０によれば、第１の配置形態（すなわち移動台車６１が寝台１３側のボア５３の端部に位置するとき）において、余剰光ＲＬを架台筐体５１のフレア部分７９および架台筐体５１の外装面の一部に投影させること、すなわちより広い領域に余剰光ＲＬを拡散させることができる。また、第２の配置形態において、余剰光ＲＬを架台筐体５１の内壁５７に投影すること、すなわち、Ｚ軸に沿ってより長い距離に亘って余剰光ＲＬを投影させることができる。
【０１４４】
以上のことから、本変形例に係る磁気共鳴イメージング装置１０によれば、第１の配置形態において、本実施形態に比べてより広い領域に亘って、架台筐体５１のフレア部分７９および架台筐体５１の外装面の一部に余剰光ＲＬを投影させることができ、患者Ｐにボア５３の狭さに対する認識を軽減させることができる。加えて、第１の配置形態において、スクリーン６３の周囲に反射機能を有する光学素子７３が配置されることにより、映写機１００の光源が患者Ｐの視界に入る可能性を低減させることができる。
【０１４５】
（第５の変形例）  
本変形例と実施形態との相違は、移動台車６１の映写機１００側端部からスクリーン６３を、例えばコの字で取り囲むように、光学素子７３として導光板が移動台車６１に搭載されることにある。
【０１４６】
図３４は、移動台車６１に搭載された導光板８０を有する移動式スクリーン装置１５をボア５３内の上部から見た上面図である。導光板８０は、端面において入射した光をガイドし、ガイドした光を自身の面上から略均一に射出する機能を有する。材料は透明な樹脂、例えばアクリル板、ポリカーボネイト等である。導光板の表面には、所望の発光パターンを実現するためのパターン設計に対応する加工が施される。
【０１４７】
導光板８０は、スクリーン６３を支持する矩形状の台座８２の周囲に配置される。具体的には、導光板８０は、映写機１００側から台座８２をコの字で取り囲むように、移動台車６１に搭載される。なお、移動台車６１の上方側から見た導光板８０の形状は、コの字形状に限定されず、台座８２を取り囲めば任意の形状であってもよい。導光板８０は、例えば、スクリーン６３より映写機１００側の領域（以下、余剰光入射領域ＲＬＲと呼ぶ）に到達した余剰光ＲＬを受光する。なお、導光板８０は、スクリーン６３より寝台１３側における領域に到達した余剰光ＲＬを受光してもよい。また、余剰光入射領域ＲＬＲは、導光板８０の略全域であってもよい。
【０１４８】
導光板８０は、入射した余剰光ＲＬを、導光板８０内で拡散させる。導光板８０は、拡散された余剰光（以下、拡散光ＤＬと呼ぶ）を、スクリーン６３と支持アーム６５との間の領域（以下、拡散光放射領域ＤＬＲ）までガイドする。導光板８０は、ガイドした拡散光を、内壁５７に向けて放射させる。なお、導光板８０は、拡散光放射領域ＤＬＲにおいて、拡散光を内壁５７に照準するためのコリメータを有していてもよい。
【０１４９】
図３５は、ボア５３内において、移動台車６１に搭載された導光板８０を有する移動式スクリーン装置１５の側面を示す側面図である。図３５に示すように、導光板８０の余剰光入射領域ＲＬＲに入射した余剰光ＲＬは、拡散光ＤＬとして導光板８０内を伝搬する。導光板８０内を伝搬した拡散光ＤＬは、導光板８０の拡散光放射領域ＤＬＲから内壁５７に向けて放射される。
【０１５０】
図３５におけるＩＬは、導光板８０の拡散光放射領域ＤＬＲから内壁５７に向けて放射される放射光を示している。図３５において、放射光ＩＬは、スクリーン６３と支持アーム６５とを支持する支持台８１の下方側から、内壁５７に向けて放射される。なお、導光板８０における拡散光放射領域ＤＬＲには、反射板６７の周辺の背面に位置する内壁５７に放射光ＩＬを投影するためのコリメータが搭載されてもよい。
【０１５１】
本変形例に係る磁気共鳴イメージング装置１０によれば、本実施形態に係る効果に加えて、以下に示す効果を得ることができる。  
本変形例に係る磁気共鳴イメージング装置１０によれば、移動台車６１に搭載された導光板８０により、スクリーン６３より略映写機１００側における導光板８０の余剰光入射領域ＲＬＲに到達した余剰光ＲＬを、拡散光ＤＬとして移動式スクリーン装置１５の略側面側に位置する拡散光放射領域ＤＬＲにガイドし、拡散光放射領域ＤＬＲから内壁５７に向けて拡散光ＤＬを放射することができる。
【０１５２】
すなわち、ボア５３の断面は図１４に示すようにＤ型形状であるため、余剰光ＲＬのうちボア５３内の下面に到達する余剰光を、支持台８１の下方から導光板８０を介して、拡散光放射領域ＤＬＲに回り込ませることができる。これにより、本変形例に係る磁気共鳴イメージング装置１０によれば、余剰光ＲＬのうちボア５３内の下面に到達する余剰光を、ボア５３内を照らす間接光として有効利用することができる。
【０１５３】
以上のことから、本変形例に係る磁気共鳴イメージング装置１０によれば、余剰光ＲＬを用いた間接光として、患者Ｐ周辺と反射板６７周辺とのうち少なくとも一方を明るくすることができる。加えて、本変形例と本実施形態および他の変形例との組み合わせにおいて、光学素子７３を通過した余剰光ＲＬと照射光との組み合わせによる相乗効果により、ボア５３に挿入された患者Ｐは、余剰光ＲＬおよび照射光につつまれた感覚を得ることができ、映像に対する没入感をさらに向上させることができる。
【０１５４】
（第６の変形例）  
本変形例と実施形態との相違は、光学素子７３は余剰光ＲＬを天板１３１（または天板１３１に載置された患者Ｐ）に投影させることにある。
【０１５５】
図３６は、スクリーン６３と支持アーム６５との間に配置された光学素子７３と、光学素子７３により拡散された余剰光ＲＬとの一例を示す図である。図３６に示すように、光学素子７３として、例えば、拡散素子が用いられる。なお、光学素子７３は、拡散素子に限定されず、反射素子、収束素子等であってもよい。光学素子７３の位置は、支持ベース７５を適宜移動させることにより、患者Ｐの視角範囲ＶＡの外部に配置される。これにより、患者Ｐ、天板１３１、患者Ｐの側面側に位置する内壁５７には、光学素子７３を通過した余剰光ＲＬが投影される。
【０１５６】
また、光学素子７３の向きは、ユーザにより適宜調整可能である。なお、本変形例は、他の変形例と適宜組み合わせることも可能である。例えば、支持アーム６５のスライドに応じて、光学素子７３の向きを本変形例に示すように変更してもよい。また、光学素子７３は、反射板６７の内壁５７側（以下、反射板背面側と呼ぶ）における隙間Ｇ１に配置されてもよい。
【０１５７】
本変形例に係る磁気共鳴イメージング装置１０によれば、本実施形態に係る効果に加えて、以下に示す効果を得ることができる。  
本変形例に係る磁気共鳴イメージング装置１０によれば、光学素子７３を通過した余剰光ＲＬが患者Ｐ、天板１３１、患者Ｐの側方に位置する内壁５７部分等に投影されるように、光学素子７３の向きを設定することができる。加えて、本変形例に係る磁気共鳴イメージング装置１０によれば、患者Ｐの視角範囲ＶＡから外れた位置に光学素子７３を配置させることができる。
【０１５８】
これらのことから、本変形例に係る磁気共鳴イメージング装置１０によれば、光学素子７３を通過した余剰光ＲＬを、患者Ｐ、天板１３１、患者Ｐの側面側に位置する内壁５７等に間接光として投影することができ、患者Ｐの周辺空間を間接光で満たすことができる。これにより、本変形例に係る磁気共鳴イメージング装置１０によれば、ボア５３に挿入された患者Ｐに対して、光につつまれた感覚、すなわち映像に対する没入感をさらに向上させることができる。
【０１５９】
加えて、光学素子７３を患者Ｐの視角範囲ＶＡ外、または反射板背面側における隙間Ｇ１に配置させることにより、光学素子７３を通過した余剰光ＲＬが、患者Ｐの視覚器に直接到達することを防止することができる。これにより、余剰光ＲＬを光学素子７３により患者Ｐ近傍を照射させた場合、光源から直接患者Ｐを照らす場合に比べて、まぶしさを軽減させることができる。
【０１６０】
（第７の変形例）    
本変形例と実施形態との相違は、例えば、天板１３１の側面と内壁５７との間の空間に設けられた照射器（ボア内照明）により発生された光（以下、ボア照明光と呼ぶ）を、光学素子７３を介して、内壁５７に投影させることにある。
【０１６１】
図３７は、支持ベース７５が受光したボア照明光ＢＬを、光学素子７３を介して内壁５７に投影する一例を示す図である。図３８は、図３７におけるＺ軸に垂直な断面ＡＡ’を支持アーム６５側からスクリーン６３に向けて見た断面図である。図３７、図３８に示す照射器８３は、支持ベース７５の被さりに応じて、支持ベース７５に入射するボア照明光ＢＬの光量を一定に保つために、ボア照明光ＢＬの光量を調整してもよい。照射器８３は、例えば、所定の長さに亘って一列に配置されたＬＥＤである。
【０１６２】
また、照射器８３は、支持ベース７５の被さりに応じて、ボア５３内に配置された患者Ｐに関する検査空間を快適（例えば、リラックス等）にさせるための色相、明度、光の形状パターン等に対応する光を発生してもよい。また、支持ベース７５の被さりに応じて、支持ベース７５に最近接する照射器８３は点灯し、他の照射器８３は消灯してもよい。
【０１６３】
支持ベース７５は、ボア照明光ＢＬを受光し、受光した光を光学素子７３へ伝送する伝送路を有する。伝送路は、例えば、光ファイバーなどであって、照射器８３により発生された可視光線を、光学素子７３に伝送する。
【０１６４】
光学素子７３は、複数の射出口７４１と、上端拡散素子７４３とを有する。光学素子７３は、支持ベースが受光したボア照明光ＢＬを、複数の射出口７４１と、上端拡散素子７４３とに分配して伝送する伝送路を有する。複数の射出口７４１各々は、支持ベース７５が受光したボア照明光ＢＬを、Ｚ軸に沿った方向でかつ支持アーム６５に向けて射出する。このとき、射出口７４１は、内壁５７の側面側に向いていてもよい。上端拡散素子７４３は、スクリーン６３より上部であって、内壁５７の上面側に向けて、ボア照明光ＢＬを拡散して投影する。なお、上端拡散素子７４３の代わりに他の光学機能を有する光学素子が用いられてもよい。
【０１６５】
図３７および図３８に示すように、支持ベース７５は、ボア照明光ＢＬを、移動式スクリーン装置１５の移動に伴って受光する。なお、支持ベース７５は、受光したボア照明光ＢＬを一定の光量に保つための各種光学機器（各種レンズ、増幅器等）を有していてもよい。このとき、光学機器は、非磁性の材料で構成される。
【０１６６】
図３７および図３８に示すように、光学素子７３における複数の射出口７４１は、光学素子７３の周方向に沿って、一連に８つ設けられる。なお、射出口の数は、８個に限定されない。また、射出口７４１は、周方向に沿って連続的に設けられてもよい。図３７および図３８に示すように、上端拡散素子７４３は、スクリーン６３より上方に配置される。また、上端拡散素子７４３は、ボア照明光ＢＬを、内壁５７の上面（例えば、反射板背面の周囲の内壁５７）に向けて拡散して、投影させる。
【０１６７】
本変形例に係る磁気共鳴イメージング装置１０によれば、本実施形態に係る効果に加えて、以下に示す効果を得ることができる。  
本変形例に係る磁気共鳴イメージング装置１０によれば、支持ベース７５により天板１３１の側面と内壁５７との間の空間に配置された照射器８３によるボア照明光ＢＬを受光し、受光したボア照明光ＢＬを、光学素子７３により、ボア５３内上面の内壁５７等に射出することができる。
【０１６８】
これにより、スクリーン６３と内壁５７との間の空間を通過した余剰光ＲＬにより内壁５７に投影された映像の光量または色相が弱い（足りない）場合、または患者Ｐの要望により患者Ｐ周辺を明るくする場合において、本変形例に係る磁気共鳴イメージング装置１０によれば、スクリーン６３と内壁５７との間の空間を通過した余剰光ＲＬにより内壁５７に投影された映像の光量または色相を補うことができ、さらに患者Ｐの周辺を明るくすることができる。
【０１６９】
加えて、本変形例に係る磁気共鳴イメージング装置１０によれば、患者Ｐを載置した天板１３１がボア５３の寝台１３側の端部と撮像位置との間を移動するとき、光学素子７３を介して内壁５７に射出された光の色相を変化させることが出来る。
【０１７０】
以上のことから、本変形例に係る磁気共鳴イメージング装置１０によれば、スクリーン６３と内壁５７との間の空間を通過した余剰光ＲＬと、光学素子７３を介して内壁５７に射出されたボア照明光ＢＬとの組み合わせによる相乗効果により、ボア５３に挿入された患者Ｐは、映像および照射光につつまれた感覚を得ることができる。加えて、撮像位置まで天板１３１が移動する際に、映像を見ている患者Ｐの周辺を光の変化でリラックスできるように演出することが可能となる。
【０１７１】
（第８の変形例）    
本変形例と実施形態との相違は、移動台車６１の移動中において、天板１３１の側面と内壁５７との間の空間に設けられた送風管内における所定の気体を、支持アーム６５に設けられた噴出口からボア５３内に噴出することにある。所定の気体とは、例えば、空気である。なお、患者Ｐの状態によっては、所定の濃度の酸素が噴出口から噴出されてもよい。
【０１７２】
以下、説明を簡単にするために、光学素子７３は、スクリーン６３の端部に設けられているものとする。なお、本変形例は、本実施形態および他の変形例で説明したような移動式スクリーン装置１５にも適宜利用可能である。また、送風管により送風された空気は、支持アーム６５の内部に送られる。なお、送風管は、支持アーム６５の外装等に設けられた噴出口に接続される。
【０１７３】
図３９は、支持アーム６５内に設けられ、噴出口８５を有する第１の送風管８７を有する移動式スクリーン装置１５の一例を示す図である。
【０１７４】
架台５１は、第２の送風管８９を有する。第２の送風管８９は、非磁性の材料で構成される。第２の送風管８９の一端は、支持アーム６５における第１の送風管８７に、例えば、図示していない所定の継手を介して接続される。このとき、継手は、非磁性の材料により構成される。なお、第１の送風管８７と第２の送風管８９とは、直接接続されてもよい。第２の送風管８９は、Ｚ軸に沿った移動式スクリーン装置１５の移動に応じて、自在に移動可能な構成で、レール５５内に設けられる。
【０１７５】
なお、第２の送風管８９は、移動式スクリーン装置１５の移動に応じて、自在に伸縮可能な構成であってもよい。このとき、第２の送風管８９は、弾性機能を有する。第２の送風管８９は、例えば、架台５１内部を介して検査室３００の床下に配置され、検査室３００の外、例えば制御室４００に設置された図示していない送風ポンプに接続される。
【０１７６】
支持アーム６５は、噴出口８５が設けられた第１の送風管８７を、自身の内部に有する。第１の送風管８７は、非磁性の材料で構成される。支持アーム６５には、第１の送風管８７における噴出口８５と同位置に噴出口８５が設けられる。なお、第１の送風管８７における噴出口と支持アーム６５における噴出口とは、異なる位置及び異なる口径であってもよいし、異なる個数であってもよい。第１の送風管８７は、非磁性の材料により構成される。
【０１７７】
上記構成により、送風ポンプにより送風された空気は、移動式スクリーン装置１５に搭載された噴出口８５から噴出する。なお、本変形例は、適宜本実施形態および他の変形例と組み合わせることも可能である。
【０１７８】
本変形例に係る磁気共鳴イメージング装置１０によれば、本実施形態に係る効果に加えて、以下に示す効果を得ることができる。  
本変形例に係る磁気共鳴イメージング装置１０によれば、反射板６７を支持する支持アーム６５に空気等の所定の気体を噴出可能な噴出口８５を設けることにより、天板１３１に載置された患者Ｐを冷やすことができる。これにより、噴出口８５から噴出される空気と架台１１に設けられた換気ファンから送り出される風との相乗効果により、快適な検査空間を患者Ｐに提供することができる。また、スクリーン６３のエッジ部分に光学素子７３が設けられた場合、ボア５３内における送風状態を向上させることができる。さらに、スクリーン６３に投影される映像に合わせて、送風状態（送風量、送風速度等）を制御することも可能となり、患者Ｐをさらにリラックスさせる検査空間（患者Ｐに安心感を与える環境）を提供することができる。
【０１７９】
以上述べた実施形態および少なくとも一つの変形例等の磁気共鳴イメージング装置によれば、架台１１のボア５３内の居住性を向上可能である。
【０１８０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１８１】
１…医用画像診断システム、磁気共鳴イメージングシステム、１０…医用画像診断装置、磁気共鳴イメージング装置、１１…架台、１３…寝台、１５…移動式スクリーン装置、１７…撮像制御ユニット、２１…傾斜磁場電源、２３…送信回路、２５…受信回路、２７…コンソール、３１…撮像制御回路、３２…再構成回路、３３…画像処理回路、３４…通信回路、３５…表示回路、３６…入力回路、３７…主記憶回路、３８…システム制御回路、４１…静磁場磁石、４３…傾斜磁場コイル、４５…ＲＦコイル、５１…架台筐体、５３…ボア、５５…レール、５７…内壁、６１…移動台車、６３…スクリーン、６５…支持アーム、６７…反射板、６８…支持フレーム、６９…連結部、７１…スライド機構、７３…光学素子、７４…第１回転接続器、７５…支持ベース、７６…第２回転接続器、７７…ガイド、７８…回転接続器、７９…架台筐体のフレア部分、８０…導光板、８１…支持台、８２…台座、８３…照射器、８５…噴出口、８７…第１の送風管、８９…第２の送風管、１００…映写機、１３１…天板、１３３…基台、１３５…寝台駆動装置、１３７…患者固定具、２００…映写機制御装置、３００…検査室、４００…制御室、５００…壁、５１０…窓、５５１…レール上における移動台車の車輪の走行面、５７１…余剰光投影領域、５７３…第１余剰光投影領域、５７５…第２余剰光投影領域、６１１…ガイド、６５１…車輪、７３１…凸レンズ、７３２…凹レンズ、７３３…ハーフミラー、７３５…第１光学素子、７３７…第２光学素子、７３９…第３光学素子、７４１…射出口、７４３…上端拡散素子、７５１、７５３…支持ベース、ａｒ１…移動式スクリーン装置におけるスライドの方向、ａｒ２…移動式スクリーン装置上における光学素子の移動の方向、ＢＬ…ボア照明光、Ｄ１…ドア、Ｄ２…ドア、Ｄ３…ドア、ＤＬ…拡散光、ＤＬＲ…拡散光放射領域、Ｇ１…隙間、ＩＬ…放射光、ＬＰ…投影光、Ｐ…患者、ＰＩ…映像、ＲＡ１…第１光学素子の回転方向、ＲＡ２…第２光学素子の回転方向、ＲＡ３…第３光学素子の回転方向、ＲＢ…スクリーンの外径、ＲＬ…余剰光、ＲＬＲ…余剰光入射領域、ＲＲ１…回転軸、ＲＳ…内壁５７の径、ＶＡ…視角範囲。
【図１】
0006688600.tif 000002
【図２】
0006688600.tif 000003
【図３】
0006688600.tif 000004
【図４】
0006688600.tif 000005
【図５】
0006688600.tif 000006
【図６】
0006688600.tif 000007
【図７】
0006688600.tif 000008
【図８】
0006688600.tif 000009
【図９】
0006688600.tif 000010
【図１０】
0006688600.tif 000011
【図１１】
0006688600.tif 000012
【図１２】
0006688600.tif 000013
【図１３】
0006688600.tif 000014
【図１４】
0006688600.tif 000015
【図１５】
0006688600.tif 000016
【図１６】
0006688600.tif 000017
【図１７】
0006688600.tif 000018
【図１８】
0006688600.tif 000019
【図１９】
0006688600.tif 000020
【図２０】
0006688600.tif 000021
【図２１】
0006688600.tif 000022
【図２２】
0006688600.tif 000023
【図２３】
0006688600.tif 000024
【図２４】
0006688600.tif 000025
【図２５】
0006688600.tif 000026
【図２６】
0006688600.tif 000027
【図２７】
0006688600.tif 000028
【図２８】
0006688600.tif 000029
【図２９】
0006688600.tif 000030
【図３０】
0006688600.tif 000031
【図３１】
0006688600.tif 000032
【図３２】
0006688600.tif 000033
【図３３】
0006688600.tif 000034
【図３４】
0006688600.tif 000035
【図３５】
0006688600.tif 000036
【図３６】
0006688600.tif 000037
【図３７】
0006688600.tif 000038
【図３８】
0006688600.tif 000039
【図３９】
0006688600.tif 000040